(57)【要約】  本開示のいくつかの態様は、一般にワイヤレス通信に関し、より詳細にはＷｉＦｉ（登録商標）用のスタッガードプライマリチャネル選択のためのシステム、方法、およびデバイスに関する。いくつかの態様によれば、ワイヤレス通信のための方法が提供される。本方法は、たとえばアクセスポイント（ＡＰ）によって実行され得る。本方法は、一般に、近隣基本サービスセット（ＢＳＳ）に関する情報を取得することと、取得された情報に基づいてプライマリチャネルを選択することと、送信のために、選択されたプライマリチャネルを使用して通信する意図をシグナリングするメッセージを出力することとを含む。
2016537921.tif 000002
【特許請求の範囲】
【請求項１】
近隣基本サービスセット（ＢＳＳ）に関する情報に基づいてプライマリチャネルを選択して、装置が、前記選択されたプライマリチャネルを使用して通信することを意図することをシグナリングするメッセージを生成するように構成された処理システムと、
送信のために前記メッセージを出力するように構成されたインターフェースと
を備えるワイヤレス通信のための装置。
【請求項２】
前記選択されたプライマリチャネルが、前記近隣ＢＳＳの少なくとも１つの装置によって使用されるセカンダリチャネルと重複する、請求項１に記載の装置。
【請求項３】
前記選択されたプライマリチャネルが、前記近隣ＢＳＳのデバイスのプライマリチャネルとの重複を最小化するために選択される、請求項１に記載の装置。
【請求項４】
前記メッセージが、前記選択されたプライマリチャネルのチャネル番号、または前記選択されたプライマリチャネルを使用する前記意図された通信までの時間の量のうちの少なくとも１つの表示を備える、請求項１に記載の装置。
【請求項５】
前記インターフェースが、前記選択されたプライマリチャネルを使用する前記意図された通信の前に送信される１つまたは複数のビーコンを介して送信のために前記メッセージを出力するように構成される、請求項１に記載の装置。
【請求項６】
近隣ＢＳＳに関する前記情報が、前記近隣ＢＳＳのデバイスの受信信号強度表示（ＲＳＳＩ）、または前記近隣ＢＳＳのデバイスのプライマリチャネル表示のうちの少なくとも１つを備える、請求項１に記載の装置。
【請求項７】
近隣ＢＳＳに関する前記情報が、前記近隣ＢＳＳの少なくとも１つのデバイスによって使用されるチャネル上のローディング、または前記近隣ＢＳＳのデバイスによって引き起こされる潜在的干渉のうちの少なくとも１つに関する情報を備える、請求項１に記載の装置。
【請求項８】
ローディングに関する前記情報が、チャネルを使用する前記ＢＳＳ内のデバイスの数、チャネル上で使用される送信時間、チャネル上でドロップされたパケット、または特定の帯域幅上で送信が発生する頻度のうちの少なくとも１つの表示を備える、請求項７に記載の装置。
【請求項９】
近隣ＢＳＳに関する前記情報が、前記近隣ＢＳＳによって他のＢＳＳに提案されたプライマリチャネル、または、前記近隣ＢＳＳによって他のＢＳＳに禁止されたプライマリチャネルのうちの少なくとも１つに関する情報を備える、請求項１に記載の装置。
【請求項１０】
前記処理システムが、ビーコン、バックホール接続、アクションフレーム、または管理フレームのうちの少なくとも１つを介して、近隣ＢＳＳに関する情報を取得するようにさらに構成される、請求項１に記載の装置。
【請求項１１】
前記処理システムが、ブロードキャスト送信を介して近隣ＢＳＳに関する情報を取得するようにさらに構成される、請求項１に記載の装置。
【請求項１２】
前記処理システムが、前記近隣ＢＳＳのデバイスから送信されるアクションフレームを介して、近隣ＢＳＳに関する情報を取得するようにさらに構成される、請求項１に記載の装置。
【請求項１３】
前記処理システムが、前記装置がメンバーであるＢＳＳのデバイスから送信される管理フレームを介して近隣ＢＳＳに関する情報を取得するようにさらに構成される、請求項１に記載の装置。
【請求項１４】
前記処理システムが、プライマリチャネル選択のために使用される情報をシグナリングする別のメッセージを生成するようにさらに構成され、
前記インターフェースが、送信のために前記別のメッセージを出力するようにさらに構成される、請求項１に記載の装置。
【請求項１５】
前記インターフェースが、前記近隣ＢＳＳの１つまたは複数のデバイスに送信のために前記メッセージを出力するように構成される、請求項１に記載の装置。
【請求項１６】
前記近隣ＢＳＳの前記１つまたは複数のデバイスから、前記選択されたプライマリチャネルに関する応答を受信するように構成されたインターフェースをさらに備え、各応答が、前記選択されたプライマリチャネルが、前記応答を送信している前記デバイスにとって許容可能であること、または、前記選択されたプライマリチャネルが、前記応答を送信している前記デバイスにとって許容可能ではないことを示し、ここにおいて、
前記処理システムが、前記応答に基づいて、異なるプライマリチャネルを選択するべきかどうかを決定するようにさらに構成される、請求項１に記載の装置。
【請求項１７】
少なくとも１つの応答が、提案された代替プライマリチャネルを示し、
前記処理システムが、前記提案された代替プライマリチャネルを選択するようにさらに構成される、請求項１６に記載の装置。
【請求項１８】
近隣基本サービスセット（ＢＳＳ）に関する情報を取得することと、
前記取得された情報に基づいて、プライマリチャネルを選択することと、
送信のために、前記選択されたプライマリチャネルを使用して通信する意図をシグナリングするメッセージを出力することと
を備えるワイヤレス通信のための方法。
【請求項１９】
前記選択されたプライマリチャネルが、前記近隣ＢＳＳの少なくとも１つのデバイスによって使用されるセカンダリチャネルと重複する、請求項１８に記載の方法。
【請求項２０】
前記選択されたプライマリチャネルが、前記近隣ＢＳＳのデバイスのプライマリチャネルとの重複を最小化するために選択される、請求項１８に記載の方法。
【請求項２１】
前記メッセージが、前記選択されたプライマリチャネルのチャネル番号、または前記選択されたプライマリチャネルを使用する前記意図された通信までの時間の量のうちの少なくとも１つの表示をさらにシグナリングする、請求項１８に記載の方法。
【請求項２２】
前記出力することが、前記選択されたプライマリチャネルを使用する前記意図された通信の前に送信される１つまたは複数のビーコンを介して送信のために前記メッセージを出力することを備える、請求項１８に記載の方法。
【請求項２３】
近隣ＢＳＳに関する前記情報が、前記近隣ＢＳＳのデバイスの受信信号強度表示（ＲＳＳＩ）、または前記近隣ＢＳＳのデバイスのプライマリチャネル表示のうちの少なくとも１つを備える、請求項１８に記載の装置。
【請求項２４】
近隣ＢＳＳに関する前記情報が、前記近隣ＢＳＳの少なくとも１つのデバイスによって使用されるチャネル上のローディング、または前記近隣ＢＳＳのデバイスによって引き起こされる潜在的干渉のうちの少なくとも１つに関する情報を備える、請求項１８に記載の方法。
【請求項２５】
ローディングに関する前記情報が、チャネルを使用する前記ＢＳＳ内のデバイスの数、チャネル上で使用される送信時間、チャネル上でドロップされたパケット、または特定の帯域幅上で送信が発生する頻度のうちの少なくとも１つの表示を備える、請求項２４に記載の方法。
【請求項２６】
近隣ＢＳＳに関する前記情報が、前記近隣ＢＳＳによって他のＢＳＳに提案されたプライマリチャネル、または、前記近隣ＢＳＳによって他のＢＳＳに禁止されたプライマリチャネルのうちの少なくとも１つに関する情報を備える、請求項１８に記載の方法。
【請求項２７】
近隣ＢＳＳに関する前記情報を取得することが、ビーコン、バックホール接続、アクションフレーム、ブロードキャスト送信、または管理フレームのうちの少なくとも１つを介して前記情報を取得することを備える、請求項１８に記載の方法。
【請求項２８】
前記近隣ＢＳＳの前記１つまたは複数のデバイスから、前記選択されたプライマリチャネルに関する応答を受信することと、ここにおいて、各応答が、前記選択されたプライマリチャネルが、前記応答を送信している前記デバイスにとって許容可能であること、または、前記選択されたプライマリチャネルが、前記応答を送信している前記デバイスにとって許容可能ではないことを示し、
前記応答に基づいて、異なるプライマリチャネルを選択するべきかどうかを決定することと
を備える、請求項１８に記載の方法。
【請求項２９】
近隣基本サービスセット（ＢＳＳ）に関する情報を取得するための手段と、
前記取得された情報に基づいて、プライマリチャネルを選択するための手段と、
送信のために、前記選択されたプライマリチャネルを使用して通信する意図をシグナリングするメッセージを出力するための手段と
を備えるワイヤレス通信のための装置。
【請求項３０】
少なくとも１つのアンテナと、
近隣基本サービスセット（ＢＳＳ）に関する情報に基づいてプライマリチャネルを選択して、
装置が、前記選択されたプライマリチャネルを使用して通信することを意図することをシグナリングするメッセージを生成するように構成された処理システムと、
前記少なくとも１つのアンテナを介して前記メッセージを送信するように構成された送信機と
を備える、アクセスポイント。
【発明の詳細な説明】
【技術分野】
【０００１】
関連出願の相互参照
[0001]本出願は、どちらもそれぞれの全体が参照により本明細書に組み込まれる、２０１３年９月１７日に出願された米国仮特許出願第６１／８７９，１１７号、および２０１４年９月１５日に出願された米国特許出願第１４／４８６，９４６号の利益を主張する。
【０００２】
[0002]本出願は、一般にワイヤレス通信に関し、より詳細には、ワイヤレスシステムにおけるプライマリチャネル選択のためのシステム、方法、およびデバイスに関する。
【背景技術】
【０００３】
[0003]多くの電気通信システムでは、いくつかの対話している空間的に分離されたデバイスの間でメッセージを交換するために、通信ネットワークが使用される。ネットワークは、たとえば、メトロポリタンエリア、ローカルエリア、またはパーソナルエリアとすることができる地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークはまた、様々なネットワークノードとデバイスとを相互接続するために使用されるスイッチング／ルーティング技法（たとえば、回線交換対パケット交換）、送信のために利用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング）、イーサネット（登録商標）など）によって異なる。
【０００４】
[0004]ワイヤレスネットワークは、ネットワーク要素がモバイルであり、したがって、動的接続性の必要を有するときに、またはネットワークアーキテクチャが固定ではなくアドホックなトポロジーで形成される場合に、しばしば好適である。ワイヤレスネットワークは、無線、マイクロ波、赤外線、光などの周波数帯域内の電磁波を使用する非誘導伝搬モードでは、無形物理媒体を利用する。ワイヤレスネットワークは、有利には、固定ワイヤードネットワークと比較すると、ユーザモビリティと迅速なフィールド展開とを容易にする。
【０００５】
[0005]しかしながら、複数のワイヤレスネットワークが、同じビル内、近くのビル内、および／または同じ屋外エリア内に存在することがある。複数のワイヤレスネットワークの普及は、（たとえば、各ワイヤレスネットワークが同じエリアおよび／またはスペクトルにおいて動作しているので）干渉を生じ、スループットの低減を招き、および／またはいくつかのデバイスが通信するのを妨げることがある。したがって、ワイヤレスネットワークが密集しているときに通信するための改善されたシステム、方法、およびデバイスが所望される。
【発明の概要】
【０００６】
[0006]本開示のシステム、方法、およびデバイスは、それぞれいくつかの態様を有し、それらのうちの単一の態様が単独でその望ましい属性を担うわけではない。次に、以下の特許請求の範囲によって表される本開示の範囲を限定することなしに、いくつかの特徴について手短に説明する。この説明を考慮した後、特に「発明を実施するための形態」と題されるセクションを読んだ後で、本開示の特徴が、ワイヤレスネットワーク中のアクセスポイントと局との間の改善された通信を含む利点をどのように提供するかが理解されよう。
【０００７】
[0007]本開示のいくつかの態様は、一般にワイヤレスシステムにおけるプライマリチャネル選択のためのシステム、方法、およびデバイスに関する。
【０００８】
[0008]本開示のいくつかの態様は、ワイヤレス通信のための装置を提供する。本装置は、一般に、近隣基本サービスセット（ＢＳＳ）に関する情報に基づいてプライマリチャネルを選択して、選択されたプライマリチャネルを使用して通信する意図をシグナリングするメッセージを生成するように構成された処理システムと、送信のためにメッセージを出力するように構成されたインターフェースとを含む。
【０００９】
[0009]本開示のいくつかの態様は、ワイヤレス通信のための方法を提供する。本方法は、たとえば、アクセスポイント（ＡＰ）によって実行され得る。本方法は、一般に、近隣基本サービスセット（ＢＳＳ）に関する情報を取得することと、取得された情報に基づいてプライマリチャネルを選択することと、送信のために、選択されたプライマリチャネルを使用して通信する意図をシグナリングするメッセージを出力することとを含む。
【００１０】
[0010]本開示のいくつかの態様は、ワイヤレス通信のための装置を提供する。本装置は、一般に、近隣ＢＳＳ）に関する情報を取得するための手段と、取得された情報に基づいてプライマリチャネルを選択するための手段と、送信のために、選択されたプライマリチャネルを使用して通信する意図をシグナリングするメッセージを出力するための手段とを含む。
【００１１】
[0011]本開示のいくつかの態様は、コンピュータプログラム製品を提供する。本コンピュータプログラム製品は、一般に命令を記憶したコンピュータ可読媒体を含み、本命令は、近隣基本サービスセット（ＢＳＳ）に関する情報を取得することと、取得された情報に基づいてプライマリチャネルを選択することと、送信のために、選択されたプライマリチャネルを使用して通信する意図をシグナリングするメッセージを出力することとを行うための装置によって実行可能である。
【００１２】
[0012]本開示のいくつかの態様は、アクセスポイント（ＡＰ）を提供する。本アクセスポイント（ＡＰ）は、一般に、少なくとも１つのアンテナと、近隣基本サービスセット（ＢＳＳ）に関する情報に基づいてプライマリチャネルを選択して、選択されたプライマリチャネルを使用して通信する意図をシグナリングするメッセージを生成するように構成された処理システムと、少なくとも１つのアンテナを介してメッセージを送信するように構成された送信機とを含む。
【００１３】
[0013]方法と、装置と、システムと、コンピュータプログラム製品と、処理システムとを含む多数の他の態様が提供される。
【００１４】
[0014]前述および関連する目的を達成するために、１つまたは複数の態様は、以下で十分に説明され、特に特許請求の範囲において指摘される特徴を備える。以下の説明および添付の図面は、１つまたは複数の態様のいくつかの例示的な特徴を詳細に説明する。しかしながら、これらの特徴は、様々な態様の原理が採用され得る様々な方法のうちのいくつかを示しており、この説明は、すべてのそのような態様、およびそれらの均等物を含むことが意図される。
【００１５】
[0015]本開示の上述の特徴が詳細に理解され得るように、添付の図面にその一部が示される態様を参照することによって、上記で簡単に要約された内容のより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１６】
【図１】[0016]本開示の態様が利用され得る、例示的なワイヤレス通信システムを示す図。
【図２Ａ】[0017]複数のワイヤレス通信ネットワークが存在する、ワイヤレス通信システムを示す図。
【図２Ｂ】[0018]複数のワイヤレス通信ネットワークが存在する、別のワイヤレス通信システムを示す図。
【図３】[0019]図１および図２Ｂのワイヤレス通信システム内で利用され得る、周波数多重化技法を示す図。
【図４】[0020]図１、図２Ｂ、および図３のワイヤレス通信システム内で利用され得る、例示的なワイヤレスデバイスの機能ブロック図。
【図５】[0021]本開示の態様が利用され得る、ワイヤレス通信システムを示す図。
【図６】[0022]図６は、本開示のいくつかの態様による、アクセスポイント（ＡＰ）によるワイヤレス通信のための例示的な動作を示している。
【図６Ａ】[0023]本開示のいくつかの態様による、図６に示す動作を実行することが可能な例示的な構成要素を示す図。
【発明を実施するための形態】
【００１７】
[0024]理解を容易にするために、図面に共通する同一の要素を指定するために、可能な場合は同一の参照番号が使用されてきた。ある実施形態に開示されている要素は、特定の記述なしに、他の実施形態で有益に利用され得ることが企図される。
【００１８】
[0025]本開示のいくつかの態様は、一般に、ワイヤレスシステムにおけるプライマリチャネル選択のためのシステム、方法、およびデバイスに関する。プライマリチャネルは、アクセスポイント（ＡＰ）での情報に基づいて、または近隣ＡＰから受信された追加情報に基づいて選択され得る。プライマリチャネルの選択は、近隣ＡＰと協調されていなくてもよく、協調されていてもよい。チャネルスイッチアナウンスメントプロトコルは、広域帯域幅要素を送ることを含まない場合がある。
【００１９】
[0026]添付の図面を参照しながら、新規のシステム、装置、および方法の様々な態様について、以下でより十分に説明する。しかしながら、本開示は、多くの異なる形態で具現化される場合があり、本開示全体にわたって提示される任意の特定の構造または機能に限定されるものと解釈されるべきではない。むしろ、本開示が、入念で完全であり、本開示の範囲を当業者に十分に伝達するように、これらの態様が提供される。本明細書の教示に基づいて、本開示の範囲は、本開示の任意の他の態様とは無関係に実装されるにせよ、本開示の任意の他の態様と組み合わせて実装されるにせよ、本明細書で開示する新規のシステム、装置、および方法の任意の態様を包含するものであることを、当業者なら諒解されたい。たとえば、本明細書に記載の態様をいくつ使用しても、装置は実装され得、または方法は実施され得る。加えて、本開示の範囲は、本明細書に記載の本開示の様々な態様に加えて、またはそれらの態様以外の他の構造、機能、または構造および機能を使用して実施される、そのような装置または方法を包含するものである。本明細書で開示する任意の態様は、請求項の１つまたは複数の要素によって具現化され得ることを理解されたい。
【００２０】
[0027]特定の態様について本明細書で説明するが、これらの態様の多くの変形および置換は本開示の範囲内に入る。好ましい態様のいくつかの利益および利点が述べられるが、本開示の範囲は特定の利益、使用、または目的に限定されるものではない。むしろ、本開示の態様は、異なるワイヤレス技術、システム構成、ネットワーク、および伝送プロトコルに広く適用可能なものであり、そのうちのいくつかが図面および好ましい態様の以下の説明において例として示される。詳細な説明および図面は、限定的ではなく、本開示の例示にすぎず、本開示の範囲は、添付の特許請求の範囲およびその均等物によって定義される。
【００２１】
[0028]普及しているワイヤレスネットワーク技術は、様々なタイプのワイヤレスローカルエリアネットワーク（ＷＬＡＮ）を含み得る。ＷＬＡＮは、広く使用されているネットワーキングプロトコルを利用して、近くのデバイスを一緒に相互接続するために使用され得る。本明細書で説明する様々な態様は、ワイヤレスプロトコルなどの任意の通信規格に適用され得る。
【００２２】
[0029]いくつかの態様では、ワイヤレス信号は、直交周波数分割多重（ＯＦＤＭ）通信、直接シーケンススペクトル拡散（ＤＳＳＳ）通信、ＯＦＤＭ通信とＤＳＳＳ通信の組合せ、または他の方式を使用して、高効率８０２．１１プロトコルに従って送信され得る。高効率８０２．１１プロトコルの実装形態は、インターネットアクセス、センサー、メータリング、スマートグリッドネットワーク、または他のワイヤレスアプリケーションに使用され得る。有利なことに、本明細書で開示する技法を使用する高効率８０２．１１プロトコルを実装しているいくつかのデバイスの態様は、同じエリアにおける増大したピアツーピアサービス（たとえば、Ｍｉｒａｃａｓｔ、ＷｉＦｉ  Ｄｉｒｅｃｔ（登録商標）  Ｓｅｒｖｉｃｅｓ、Ｓｏｃｉａｌ  ＷｉＦｉ（登録商標）など）を可能にすること、増大したユーザ当たり最小スループット要件をサポートすること、より多くのユーザをサポートすること、改善された屋外カバレージとロバストネスとをもたらすこと、および／または他のワイヤレスプロトコルを実装しているデバイスよりも少ない電力を消費することを含み得る。
【００２３】
[0030]いくつかの実装形態では、ＷＬＡＮは、ワイヤレスネットワークにアクセスする構成要素である様々なデバイスを含む。たとえば、２つのタイプのデバイス、すなわち、アクセスポイント（「ＡＰ」）とクライアント（局または「ＳＴＡ」とも呼ばれる）とがあり得る。一般に、ＡＰはＷＬＡＮのためのハブまたは基地局として機能することができ、ＳＴＡはＷＬＡＮのユーザとして機能する。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を得るために、ＷｉＦｉ（たとえば、ＩＥＥＥ８０２．１１プロトコル）に準拠したワイヤレスリンクを介してＡＰに接続する。いくつかの実装態様では、ＳＴＡは、ＡＰとしても使用され得る。
【００２４】
[0031]アクセスポイント（「ＡＰ」）はまた、ノードＢ、無線ネットワークコントローラ（「ＲＮＣ」）、ｅノードＢ、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、もしくは何らかの他の用語を備えるか、それらのいずれかとして実装されるか、またはそれらのいずれかとして知られ得る。
【００２５】
[0032]局「ＳＴＡ」はまた、アクセス端末（「ＡＴ」）、加入者局、加入者ユニット、移動局、リモート局、リモート端末、ユーザ端末、ユーザエージェント、ユーザデバイス、ユーザ機器、もしくは何らかの他の用語を備えるか、それらのいずれかとして実装されるか、またはそれらのいずれかとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスまたはゲームシステム、全地球測位システムデバイス、あるいはワイヤレス媒体を介して通信するように構成された任意の他の好適なデバイスに組み込まれ得る。
【００２６】
[0033]上記で説明したように、本明細書で説明するデバイスのいくつかは、たとえば、高効率８０２．１１規格を実装し得る。そのようなデバイスは、ＳＴＡとして使用されるか、ＡＰとして使用されるか、他のデバイスとして使用されるかにかかわらず、スマートメータリングに、またはスマートグリッドネットワークにおいて使用され得る。そのようなデバイスは、センサーアプリケーションを提供するか、またはホームオートメーションにおいて使用され得る。デバイスは、代わりにまたは加えて、たとえばパーソナルヘルスケアのために、ヘルスケアの状況において使用され得る。それらはまた、（たとえばホットスポットとともに使用するための）広範囲のインターネット接続性を可能にするために、またはマシンツーマシン通信を実装するために、監視に使用され得る。
例示的なワイヤレス通信システム
[0034]図１は、本開示の態様が利用され得る、例示的なワイヤレス通信システム１００を示す。ワイヤレス通信システム１００は、ワイヤレス規格、たとえば、高効率８０２．１１規格に従って動作し得る。ワイヤレス通信システム１００はＳＴＡ１０６と通信するＡＰ１０４を含み得る。
【００２７】
[0035]ＡＰ１０４とＳＴＡ１０６との間のワイヤレス通信システム１００における送信のために、様々なプロセスおよび方法が使用され得る。たとえば、信号は、ＯＦＤＭ／ＯＦＤＭＡ技法に従って、ＡＰ１０４とＳＴＡ１０６との間で送られ、受信され得る。そうである場合、ワイヤレス通信システム１００は、ＯＦＤＭ／ＯＦＤＭＡシステムと呼ばれ得る。代替的に、信号は、符号分割多元接続（ＣＤＭＡ）技法に従って、ＡＰ１０４とＳＴＡ１０６との間で送られ、受信され得る。そうである場合、ワイヤレス通信システム１００は、ＣＤＭＡシステムと呼ばれ得る。
【００２８】
[0036]ＡＰ１０４からＳＴＡ１０６のうちの１つまたは複数への送信を容易にする通信リンクはダウンリンク（ＤＬ）１０８と呼ばれることがあり、ＳＴＡ１０６のうちの１つまたは複数からＡＰ１０４への送信を容易にする通信リンクはアップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２９】
[0037]ＡＰ１０４は、基地局として働き、基本サービスエリア（ＢＳＡ）１０２においてワイヤレス通信カバレージを提供することができる。ＡＰ１０４は、そのＡＰ１０４に関連付けられそのＡＰ１０４を通信のために使用するＳＴＡ１０６とともに、基本サービスセット（ＢＳＳ）と呼ばれることがある。ワイヤレス通信システム１００は、中央ＡＰを有しないことがあり、むしろ、ＳＴＡ１０６間のピアツーピアネットワークとして機能し得ることに留意されたい。したがって、本明細書で説明するＡＰ１０４の機能は、代替的に、ＳＴＡ１０６のうちの１つまたは複数によって実行され得る。
【００３０】
[0038]いくつかの態様では、ＳＴＡ１０６は、ＡＰ１０４に通信を送るために、および／またはＡＰ１０４から通信を受信するために、ＡＰ１０４に関連付けることが必要とされ得る。一態様では、関連付けるための情報は、ＡＰ１０４によるブロードキャスト中に含まれる。そのようなブロードキャストを受信するために、ＳＴＡ１０６は、たとえば、カバレージ領域にわたって広カバレージ探索を実行し得る。探索はまた、ＳＴＡ１０６が、たとえば、灯台方式でカバレージ領域をスイープすることによって実行され得る。関連付けるための情報を受信した後、ＳＴＡ１０６は、関連付け調査または要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用し得る。
【００３１】
[0039]一実施形態では、ＡＰ１０４は、ＡＰ高効率ワイヤレス構成要素（ＨＥＷＣ）１５４を含む。ＡＰ  ＨＥＷＣ１５４は、高効率８０２．１１プロトコルを使用して、ＡＰ１０４とＳＴＡ１０６との間の通信を可能にするために、本明細書で説明する動作の一部または全部を実行し得る。ＡＰ  ＨＥＷＣ１５４の機能について、図２Ｂ、図３、図４、および図５に関して以下でより詳細に説明する。
【００３２】
[0040]代替的にまたは追加として、ＳＴＡ１０６は、ＳＴＡ  ＨＥＷＣ１５６を含み得る。ＳＴＡ  ＨＥＷＣ１５６は、高周波８０２．１１プロトコルを使用して、ＳＴＡ１０６とＡＰ１０４との間の通信を可能にするために、本明細書で説明する動作の一部または全部を実行し得る。ＳＴＡ  ＨＥＷＣ１５６の機能について、図２Ｂ、図３、図４、および図５に関して以下でより詳細に説明する。
【００３３】
[0041]状況によっては、ＢＳＡは他のＢＳＡの近くに位置し得る。たとえば、図２Ａは、複数のワイヤレス通信ネットワークが存在する、ワイヤレス通信システム２００を示す。図２Ａに示すように、ＢＳＡ２０２Ａ、２０２Ｂ、および２０２Ｃは物理的に互いの近くに位置し得る。ＢＳＡ２０２Ａ〜Ｃが極めて近接しているにもかかわらず、ＡＰ２０４Ａ〜Ｃおよび／またはＳＴＡ２０６Ａ〜Ｈは、それぞれ同じスペクトルを使用して通信し得る。したがって、ＢＳＡ２０２Ｃにおけるデバイス（たとえば、ＡＰ２０４Ｃ）がデータを送信している場合、ＢＳＡ２０２Ｃの外にあるデバイス（たとえば、ＡＰ２０４Ａ〜ＢまたはＳＴＡ２０６Ａ〜Ｆ）は、媒体上で通信を検知し得る。
【００３４】
[0042]一般に、通常の８０２．１１プロトコル（たとえば、８０２．１１ａ、８０２．１１ｂ、８０２．１１ｇ、８０２．１１ｎなど）を使用するワイヤレスネットワークは、媒体アクセスのためのキャリア検知多重アクセス（ＣＳＭＡ）機構の下で動作する。ＣＳＭＡによれば、デバイスは、媒体を検知し、媒体がアイドル状態であると検知されたときのみ送信する。したがって、ＡＰ２０４Ａ〜Ｃおよび／またはＳＴＡ２０６Ａ〜ＨがＣＳＭＡ機構に従って動作しており、ＢＳＡ２０２Ｃにおけるデバイス（たとえば、ＡＰ２０４Ｃ）がデータを送信している場合、ＢＳＡ２０２Ｃの外にあるＡＰ２０４Ａ〜Ｂおよび／またはＳＴＡ２０６Ａ〜Ｆは、それらが異なるＢＳＡの一部であっても、媒体を介して送信しないことがある。
【００３５】
[0043]図２Ａは、そのような状況を示す。図２Ａに示すように、ＡＰ２０４Ｃは媒体を介して送信している。送信は、ＡＰ２０４Ｃと同じＢＳＡ２０２ＣにあるＳＴＡ２０６Ｇによって、またＡＰ２０４Ｃとは異なるＢＳＡにあるＳＴＡ２０６Ａによって検知される。送信は、ＳＴＡ２０６Ｇおよび／またはＢＳＡ２０２ＣにおけるＳＴＡのみにアドレス指定され得るが、それでもなお、ＳＴＡ２０６Ａは、ＡＰ２０４Ｃ（および任意の他のデバイス）がもはや媒体上で送信しなくなるまで、（たとえば、ＡＰ２０４Ａとの間で）通信を送信または受信することが可能ではないことがある。図示されていないが、同じことがＢＳＡ２０２ＢにおけるＳＴＡ２０６Ｄ〜Ｆおよび／またはＢＳＡ２０２ＡにおけるＳＴＡ２０６Ｂ〜Ｃにも（たとえば、その他のＳＴＡが媒体上で送信を検知できるほど、ＡＰ２０４Ｃによる送信がより強い場合）当てはまり得る。
【００３６】
[0044]その場合には、ＣＳＭＡ機構の使用は、ＢＳＡの外にあるいくつかのＡＰまたはＳＴＡが、ＢＳＡにおけるＡＰまたはＳＴＡによって行われた送信に干渉することなくデータを送信することが可能であり得るので、非効率性をもたらす。アクティブなワイヤレスデバイスの数が増加し続けるにつれて、非効率性は、ネットワークレイテンシとスループットとに著しく影響を及ぼし始めることがある。たとえば、著しいネットワークレイテンシの問題は、各住戸がアクセスポイントと関連する局とを含み得るアパートビルにおいて現れることがある。実際、各住戸は、居住者がワイヤレスルータ、ワイヤレスメディアセンター機能を有するビデオゲームコンソール、ワイヤレスメディアセンター機能を有するテレビジョン、パーソナルホットスポットのように働くことができる携帯電話などを所有し得るので、複数のアクセスポイントを含み得る。その場合、レイテンシおよびスループットの問題と全体的なユーザの不満とを回避するために、ＣＳＭＡ機構の非効率性を是正することが不可欠であり得る。
【００３７】
[0045]そのようなレイテンシおよびスループットの問題は、居住エリアに限られないこともある。たとえば、複数のアクセスポイントが空港、地下鉄の駅、および／または他の人口密度の高い公共空間に位置し得る。現在、これらの公共空間ではＷｉＦｉアクセスが提供されていることがあるが、有料である。ＣＳＭＡ機構によってもたらされる非効率性が是正されない場合、ワイヤレスネットワークの事業者は、料金およびより低いサービス品質がいかなる利益をも上回り始めると、顧客を失う可能性がある。
【００３８】
[0046]したがって、本明細書で説明する高効率８０２．１１プロトコルは、これらの非効率性を最小限に抑え、ネットワークスループットを増大させる変更された機構の下でデバイスが動作することを可能にし得る。そのような機構について、図２Ｂ、図３、および図４に関して以下で説明する。
【００３９】
[0047]図２Ｂは、複数のワイヤレス通信ネットワークが存在する、ワイヤレス通信システム２５０を示す。図２Ａのワイヤレス通信システム２００とは異なり、ワイヤレス通信システム２５０は、本明細書で説明する高効率８０２．１１規格に従って動作し得る。ワイヤレス通信システム２５０は、ＡＰ２５４Ａと、ＡＰ２５４Ｂと、ＡＰ２５４Ｃとを含み得る。ＡＰ２５４ＡはＳＴＡ２５６Ａ〜Ｃと通信することができ、ＡＰ２５４ＢはＳＴＡ２５６Ｄ〜Ｆと通信することができ、ＡＰ２５４ＣはＳＴＡ２５６Ｇ〜Ｈと通信することができる。
【００４０】
[0048]様々なプロセスおよび方法が、ＡＰ２５４Ａ〜ＣとＳＴＡ２５６Ａ〜Ｈとの間のワイヤレス通信システム２５０における送信に使用され得る。たとえば、信号は、ＯＦＤＭ／ＯＦＤＭＡ技法またはＣＤＭＡ技法に従って、ＡＰ２５４Ａ〜ＣとＳＴＡ２５６Ａ〜Ｈとの間で送られ、受信され得る。
【００４１】
[0049]ＡＰ２５４Ａは、基地局として働き、ＢＳＡ２５２Ａにおいてワイヤレス通信カバレージを提供することができる。ＡＰ２５４Ｂは、基地局として働き、ＢＳＡ２５２Ｂにおいてワイヤレス通信カバレージを提供することができる。ＡＰ２５４Ｃは、基地局として働き、ＢＳＡ２５２Ｃにおいてワイヤレス通信カバレージを提供することができる。各ＢＳＡ２５２Ａ、２５２Ｂ、および／または２５２Ｃは、中央ＡＰを有しないことがあり、むしろＳＴＡ２５６Ａ〜Ｈのうちの１つまたは複数の間のピアツーピア通信を可能にし得ることに留意されたい。したがって、本明細書で説明するＡＰ２５４Ａ〜Ｃの機能は、代替的にＳＴＡ２５６Ａ〜Ｈのうちの１つまたは複数によって実行され得る。
【００４２】
[0050]一実施形態では、ＡＰ２５４Ａ〜Ｃおよび／またはＳＴＡ２５６Ａ〜Ｈは、高効率ワイヤレス構成要素を含む。本明細書で説明するように、高効率ワイヤレス構成要素は、高効率８０２．１１プロトコルを使用するＡＰとＳＴＡとの間の通信を可能にし得る。特に、高効率ワイヤレス構成要素は、ＣＳＭＡ機構の非効率性を最小限に抑える（たとえば、干渉が生じることのない状況において媒体を介した同時通信を可能にする）変更された機構をＡＰ２５４Ａ〜Ｃおよび／またはＳＴＡ２５６Ａ〜Ｈが使用することを可能にし得る。高効率ワイヤレス構成要素について、図４に関して以下でより詳細に説明する。
【００４３】
[0051]図２Ｂに示すように、ＢＳＡ２５２Ａ〜Ｃは物理的に互いの近くに位置する。たとえば、ＡＰ２５４ＡおよびＳＴＡ２５６Ｂが互いに通信しているとき、ＢＳＡ２５２Ｂ〜Ｃにおける他のデバイスによって通信が検知され得る。しかしながら、通信は、ＳＴＡ２５６Ｆおよび／またはＳＴＡ２５６Ｇなどのいくつかのデバイスに干渉するだけであり得る。ＣＳＭＡの下では、ＡＰ２５４ＢはＳＴＡ２５６Ｅと通信することを、そのような通信がＡＰ２５４ＡとＳＴＡ２５６Ｂとの間の通信に干渉しなくても許容されない。したがって、高効率８０２．１１プロトコルは、同時に通信することができるデバイスと同時に通信することができないデバイスを区別する変更された機構の下で動作する。デバイスのそのような分類は、ＡＰ２５４Ａ〜Ｃおよび／またはＳＴＡ２５６Ａ〜Ｈにおける高効率ワイヤレス構成要素によって実行され得る。
【００４４】
[0052]一実施形態では、デバイスが他のデバイスと同時に通信することができるかどうかの決定は、デバイスのロケーションに基づく。たとえば、ＢＳＡのエッジの近くに位置するＳＴＡは、ＳＴＡが他のデバイスと同時に通信することができないような状態または状況にあり得る。図２Ｂに示すように、ＳＴＡ２０６Ａ、２０６Ｆ、および２０６Ｇは、それらが他のデバイスと同時に通信することができない状態または状況にあるデバイスであり得る。同様に、ＢＳＡの中心の近くに配置されるＳＴＡは、そのＳＴＡが他のデバイスと同時に通信することができるようなステーションまたは状況にあり得る。図２に示すように、ＳＴＡ２０６Ｂ、２０６Ｃ、２０６Ｄ、２０６Ｅ、および２０６Ｈは、それらが他のデバイスと同時に通信することができる状態または状況にあるデバイスであり得る。デバイスの分類は、永続的ではないことに留意されたい。デバイスは、それらが同時に通信することができるような状態または状況と、それらが同時に通信することができないような状態または状況との間で移行し得る（たとえば、デバイスは、動いているとき、新しいＡＰに関連付けるとき、分離するときなどに、状態または状況を変化させ得る）。
【００４５】
[0053]さらに、デバイスは、それらが他のデバイスと同時に通信する状態または状況にある、またはないデバイスであるかどうかに基づいて、別様に挙動するように構成され得る。たとえば、同時に通信することができるような状態または状況にあるデバイスは、同じスペクトル内で通信することができる。しかしながら、同時に通信することができないような状態または状況にあるデバイスは、媒体を介して通信するために、空間多重化または周波数領域多重化などのいくつかの技法を利用し得る。デバイスの挙動の制御は、ＡＰ２５４Ａ〜Ｃおよび／またはＳＴＡ２５６Ａ〜Ｈにおける高効率ワイヤレス構成要素によって実行され得る。
【００４６】
[0054]一実施形態では、同時に通信することができないような状態または状況にあるデバイスは、媒体を介して通信するために、空間多重化技法を使用する。たとえば、別のデバイスによって送信されるパケットのプリアンブル内に、電力および／または他の情報が埋め込まれ得る。デバイスが同時に通信することができないような状態または状況にあるデバイスは、媒体上でパケットが検知されたときにプリアンブルを解析し、一連の規則に基づいて送信すべきかどうかを決定することができる。
【００４７】
[0055]別の実施形態では、それらが同時に通信することができないような状態または状況にあるデバイスは、媒体を介して通信するために、周波数領域多重化技法を使用する。図３は、図１のワイヤレス通信システム１００および図２Ｂのワイヤレス通信システム２５０内で利用され得る周波数多重化技法を示す。図３に示すように、ワイヤレス通信システム３００内にＡＰ３０４Ａ、３０４Ｂ、３０４Ｃ、および３０４Ｄが存在し得る。ＡＰ３０４Ａ、３０４Ｂ、３０４Ｃ、および３０４Ｄの各々は、異なるＢＳＡに関連付けられ、本明細書で説明する高効率ワイヤレス構成要素を含み得る。
【００４８】
[0056]一例として、通信媒体の帯域幅は８０ＭＨｚであり得る。通常の８０２．１１プロトコルの下では、ＡＰ３０４Ａ、３０４Ｂ、３０４Ｃ、および３０４Ｄの各々ならびに各それぞれのＡＰに関連付けられたＳＴＡは、帯域幅全体を使用して通信することを試み、これはスループットを低減し得る。しかしながら、周波数領域多重化を使用する高効率８０２．１１プロトコルの下では、図３に示すように、帯域幅は４つの２０ＭＨｚセグメント３０８、３１０、３１２、および３１４（たとえば、チャネル）に分割され得る。ＡＰ３０４Ａはセグメント３０８に関連付けられ得、ＡＰ３０４Ｂはセグメント３１０に関連付けられ得、ＡＰ３０４Ｃはセグメント３１２に関連付けられ得、ＡＰ３０４Ｄはセグメント３１４に関連付けられ得る。
【００４９】
[0057]一実施形態では、ＳＴＡが他のデバイス（たとえば、ＢＳＡの中心の近くにあるＳＴＡ）と同時に通信することができるような状態または状況にあるＳＴＡおよびＡＰ３０４Ａ〜Ｄが互いに通信しているとき、各ＡＰ３０４Ａ〜ＤおよびこれらのＳＴＡの各々は、８０ＭＨｚ媒体の一部分または全体を使用して通信することができる。しかしながら、ＳＴＡが他のデバイス（たとえば、ＢＳＡのエッジの近くにあるＳＴＡ）と同時に通信することができないような状態または状況にあるＳＴＡおよびＡＰ３０４Ａ〜Ｄが互いに通信しているとき、ＡＰ３０４ＡおよびそのＳＴＡは、２０ＭＨｚセグメント３０８を使用して通信し、ＡＰ３０４ＢおよびそのＳＴＡは、２０ＭＨｚセグメント３１０を使用して通信し、ＡＰ３０４ＣおよびそのＳＴＡは、２０ＭＨｚセグメント３１２を使用して通信し、ＡＰ３０４ＤおよびそのＳＴＡは、２０ＭＨｚセグメント３１４を使用して通信する。セグメント３０８、３１０、３１２、および３１４は、通信媒体の異なる部分であるので、第１のセグメントを使用する第１の送信は、第２のセグメントを使用する第２の送信に干渉しないことになる。
【００５０】
[0058]したがって、ＡＰおよび／またはＳＴＡは、１１ａｃプロトコルまたはより古いプロトコルに従うときに他のデバイスと同時に通信することができないような状態または状況にあるものであっても、高効率ワイヤレス構成要素を含む場合、干渉なしに他のＡＰおよびＳＴＡと同時に通信することができる。したがって、ワイヤレス通信システム３００のスループットは増大し得る。アパートビルまたは人口密度の高い公共空間の場合、高効率ワイヤレス構成要素を使用するＡＰおよび／またはＳＴＡは、アクティブなワイヤレスデバイスの数が増加するときでさえ、レイテンシの低減とネットワークスループットの増大とを経験し、それによってユーザエクスペリエンスを改善することができる。
【００５１】
[0059]図４は、図１、図２Ｂおよび図３のワイヤレス通信システム１００、２５０および／または３００内で利用され得るワイヤレスデバイス４０２の例示的な機能ブロック図を示す。ワイヤレスデバイス４０２は、本明細書で説明する様々な方法を実装するように構成され得るデバイスの一例である。たとえば、ワイヤレスデバイス４０２は、ＡＰ１０４、ＳＴＡ１０６のうちの１つ、ＡＰ２５４のうちの１つ、ＳＴＡ２５６のうちの１つ、および／またはＡＰ３０４のうちの１つを備え得る。
【００５２】
[0060]ワイヤレスデバイス４０２は、ワイヤレスデバイス４０２の動作を制御するプロセッサ４０４を含み得る。プロセッサ４０４は、中央処理装置（ＣＰＵ）と呼ばれることもある。読取り専用メモリ（ＲＯＭ）とランダムアクセスメモリ（ＲＡＭ）との両方を含み得るメモリ４０６は、命令とデータとをプロセッサ４０４に提供し得る。メモリ４０６の一部分は、不揮発性ランダムアクセスメモリ（ＮＶＲＡＭ）も含み得る。プロセッサ４０４は、通常、メモリ４０６内に記憶されたプログラム命令に基づいて論理演算と算術演算とを実行する。メモリ４０６内の命令は、本明細書で説明する方法を実装するように実行可能であり得る。
【００５３】
[0061]プロセッサ４０４は、１つもしくは複数のプロセッサによって実装された処理システムを備えてよく、またはその構成要素であってよい。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の計算もしくは他の操作を実行することができる任意の他の好適なエンティティの任意の組合せで実装され得る。
【００５４】
[0062]処理システムはまた、ソフトウェアを記憶するための機械可読媒体を含み得る。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、（たとえば、ソースコードフォーマット、バイナリコードフォーマット、実行可能コードフォーマット、または任意の他の好適なコードのフォーマットの）コードを含み得る。命令は、１つまたは複数のプロセッサによって実行されたとき、処理システムに、本明細書で説明する様々な機能を実行させる。
【００５５】
[0063]ワイヤレスデバイス４０２はまた、ワイヤレスデバイス４０２とリモートロケーションとの間のデータの送信および受信を可能にするために、送信機４１０および／または受信機４１２を含み得る、ハウジング４０８を含み得る。送信機４１０および受信機４１２は組み合わされてトランシーバ４１４になり得る。アンテナ４１６は、ハウジング４０８に取り付けられ、トランシーバ４１４に電気的に結合され得る。ワイヤレスデバイス４０２はまた、複数の送信機、複数の受信機、複数のトランシーバ、および／または複数のアンテナを含み得る（図示せず）。
【００５６】
[0064]ワイヤレスデバイス４０２はまた、トランシーバ４１４によって受信された信号のレベルを検出し、定量化するために使用され得る、信号検出器４１８を含み得る。信号検出器４１８は、総エネルギー、シンボルごとのサブキャリア当たりのエネルギー、電力スペクトル密度および他の信号などの信号を検出し得る。ワイヤレスデバイス４０２はまた、信号を処理する際に使用するデジタル信号プロセッサ（ＤＳＰ）４２０を含み得る。ＤＳＰ４２０は、送信のためのパケットを生成するように構成され得る。いくつかの態様では、パケットは物理レイヤデータユニット（ＰＰＤＵ）を備え得る。
【００５７】
[0065]いくつかの態様では、ワイヤレスデバイス４０２はユーザインターフェース４２２をさらに備え得る。ユーザインターフェース４２２は、キーパッド、マイクロフォン、スピーカ、および／またはディスプレイを備え得る。ユーザインターフェース４２２は、ワイヤレスデバイス４０２のユーザに情報を伝達するおよび／またはユーザからの入力を受信する、任意の要素または構成要素を含み得る。
【００５８】
[0066]いくつかの態様では、ワイヤレスデバイス４０２は、高効率ワイヤレス構成要素４２４をさらに備え得る。高効率ワイヤレス構成要素４２４は、分類器ユニット４２８と送信制御ユニット４３０とを含み得る。本明細書で説明するように、高効率ワイヤレス構成要素４２４は、ＣＳＭＡ機構の非効率性を最小限に抑える（たとえば、干渉が生じることのない状況において媒体を介した同時通信を可能にする）変更された機構をＡＰおよび／またはＳＴＡが使用することを可能にし得る。
【００５９】
[0067]変更された機構は、分類器ユニット４２８および送信制御ユニット４３０によって実装され得る。一実施形態では、分類器ユニット４２８は、時間、周波数、または空間における追加の直交化なしに、どのデバイスが他のデバイスと同時に通信することができるような状態または状況にあるのかと、どのデバイスが他のデバイスと同時に通信することができないような状態または状況にあるのかとを決定する。一実施形態では、送信制御ユニット４３０は、デバイスの挙動を制御する。たとえば、送信制御ユニット４３０は、いくつかのデバイスが同じ媒体上で同時に送信することを可能にし、他のデバイスが空間多重化または周波数領域多重化技法を使用して送信することを可能にし得る。送信制御ユニット４３０は、分類器ユニット４２８によって行われた決定に基づいて、デバイスの挙動を制御し得る。
【００６０】
[0068]ワイヤレスデバイス４０２の様々な構成要素は、バスシステム４２６によって一緒に結合され得る。バスシステム４２６は、たとえば、データバス、ならびに、データバスに加えて、電力バスと、制御信号バスと、ステータス信号バスとを含み得る。ワイヤレスデバイス４０２の構成要素は、何らかの他の機構を使用して、一緒に結合され得るか、または互いに対する入力を受け入れ、もしくは提供し得ることを当業者は諒解されよう。
【００６１】
[0069]図４には、いくつかの別個の構成要素が示されているが、構成要素のうちの１つまたは複数が組み合わされ得るかまたは共通に実装され得ることを当業者は認識されよう。たとえば、プロセッサ４０４は、プロセッサ４０４に関して上記で説明した機能を実装するためだけでなく、信号検出器４１８および／またはＤＳＰ４２０に関して上記で説明した機能を実装するためにも使用され得る。さらに、図４に示す構成要素の各々は、複数の別個の要素を使用して実装され得る。
例示的なＡＰ／ＳＴＡ協調
[0070]いくつかの実装形態では、干渉を低減するために、複数のＢＳＳの高密度展開を有するネットワーク内のＡＰ／ＳＴＡのリソースおよび動作モードが協調される。いくつかの態様では、時間と、周波数と、空間と、電力とを含む１つまたは複数の次元がＡＰ／ＳＴＡ間で協調される。いくつかの態様では、協調メッセージがＡＰ／ＳＴＡ間で送られる。いくつかの態様では、８０２．１１ａｈスケジューリングおよび８０２．１１ａａ協調プロトコルの特定の拡張が利用される。
【００６２】
[0071]協調は、異なるＢＳＳのデバイス（たとえば、ＡＰ／ＳＴＡ）にわたる明示的な通信として達成され得る。たとえば、オーバージエア(over the air)で交換されるメッセージまたは別個の通信手段（たとえば、ケーブルバックホール接続）によって交換されるメッセージを介して。メッセージは、直接ＡＰ間で、ＳＴＡを介してＡＰ間で、直接ＳＴＡ間で、またはＡＰを介してＳＴＡ間で交換され得る。
【００６３】
[0072]協調は、媒体上のトラフィックの観測に基づいて、暗黙的な通信／測定として達成され得る。たとえば、パケットは、協調に役立ち得る部分的な情報を搬送するように拡張され得る
[0073]協調の最終決定は、各ＡＰにおいて、分散ヒューリスティック(distributed heuristic)を用いて、通知された中央コントローラによって行われ得、または各ＳＴＡにおいて、交換された情報に基づいて行われ得る。
【００６４】
[0074]図５は、図１のワイヤレス通信システム１００および図２Ｂのワイヤレス通信システム２５０内で利用され得る協調送信の例を示す。図５は、３つのアクセスポイント５０４Ａ〜Ｃを示す。各アクセスポイント５０４Ａ〜Ｃは、対応するＢＳＳ５０２Ａ〜Ｃを管理する。各アクセスポイント５０４Ａ〜Ｃは、複数の局５０６と通信している。たとえば、アクセスポイント５０４Ａは局５０６Ａ〜Ｃと通信しているが、アクセスポイント５０４Ｃは局５０６Ｇ〜Ｈと通信している。
【００６５】
[0075]いくつかの態様では、ある局の他の局、それに関連するアクセスポイント、および／または他のアクセスポイントに対する物理的ロケーション、により、その局は干渉を受けやすくなるか、または干渉を受けにくくなる可能性がある。たとえば、局５０６Ｄ〜Ｅは、そのアクセスポイント５０４Ｂの比較的近くに、また、他のＢＳＳ５０２Ａおよび５０２Ｃ、ならびにこれらのＢＳＳ内で通信しているアクセスポイントおよび局から比較的遠くに配置されているので、局５０６Ｄ〜Ｅは、これらのＢＳＳのいずれかが通信しているときに干渉を受けにくい可能性がある。同様に、ＳＴＡ５０６Ｈは、ＢＳＳ５０２Ａまたは５０２Ｂのいずれかによって生成された送信からの干渉を受けにくい可能性がある。これらのデバイスは干渉を受けにくい可能性があるので、これらのデバイスのいくつかは、従来のキャリア検知媒体アクセス機構がそのような同時送信を防止する場合でも、他のデバイスと同時に通信することができる。たとえば、ＳＴＡ５０６Ｈは、局５０６Ｄまたは５０６Ｅと通信しているアクセスポイント５０４Ｂと同時に、アクセスポイント５０４Ｃと通信することができる。
【００６６】
[0076]他の局は、より干渉を受けやすい可能性があり、たとえば、そのアクセスポイントから比較的より遠くにおよび／または他のＢＳＳのワイヤレスデバイスの比較的近くに配置された局は、より干渉を受けやすい可能性がある。
【００６７】
[0077]ワイヤレスデバイス４０２は、ＡＰ１０４、ＳＴＡ１０６、ＡＰ２５４、ＳＴＡ２５６、および／またはＡＰ３０４を備えてよく、通信を送信および／または受信するために使用されてよい。すなわち、ＡＰ１０４、ＳＴＡ１０６、ＡＰ２５４、ＳＴＡ２５６、またはＡＰ３０４のいずれかは、送信機デバイスまたは受信機デバイスとして機能し得る。いくつかの態様は、信号検出器４１８が、送信機または受信機の存在を検出するために、メモリ４０６およびプロセッサ４０４上で動作しているソフトウェアによって使用されることを企図する。
【００６８】
[0078]図５に示すような高密度ＢＳＳシナリオでは、時間、周波数、空間、および電力のうちの１つまたは複数において、ＢＳＳが電波または媒体へのアクセスを協調させる場合、かなりのスループット利得が達成され得る。いくつかの実装形態では、ＡＰ５０４Ａ、５０４Ｂ、および５０４Ｃは、ワイヤレスデバイス４０２が干渉を受ける可能性を低減するために、共有媒体の動作モードおよびリソースの使用を協調させる。ワイヤレスデバイス４０２は、別のワイヤレスデバイス４０２との干渉を引き起こすか、または別のワイヤレスデバイス４０２によって引き起こされた干渉を経験するかのいずれかによって、干渉を受ける可能性がある。
【００６９】
[0079]他の実装形態では、ＡＰ５０４Ａ、５０４Ｂ、および５０４Ｃのうちの１つは、ワイヤレスデバイス４０２が干渉を受ける可能性を低減するために、そのＡＰによるまたは受信側ＡＰに関連付けられたワイヤレスデバイス４０２のうちの１つによる電波または媒体の使用を変更する命令をＡＰ５０４Ａ、５０４Ｂ、および５０４Ｃのうちの別の１つから受信する。いくつかの実施形態では、ＡＰ５０４Ａ、５０４Ｂ、および５０４Ｃは、そのＡＰによる共有媒体の使用を協調させるための情報を交換する。他の実施形態では、ＡＰ５０４Ａ、５０４Ｂ、および５０４Ｃは、そのＡＰが共有媒体をどのように使用すべきかについての命令を別のＡＰ５０４Ａ、５０４Ｂ、および５０４Ｃから受信する。
【００７０】
[0080]たとえば、ＡＰ５０４Ａ、５０４Ｂ、および５０４Ｃは、これらのＡＰが異なるＢＳＳ５０２Ａ、５０２Ｂ、および５０２Ｃに関連付けられているときでも、共有媒体へのアクセスを協調させることができる。ＡＰ５０４Ａ、５０４Ｂ、および５０４Ｃは、１つまたは複数のワイヤレスデバイス４０２がワイヤレスネットワーク内の別のワイヤレスデバイスとの干渉を受けるかどうかを決定することができる。ＡＰ５０４Ａ、５０４Ｂ、および５０４Ｃは、ＭＡＣアドレスなどの情報を識別することによって、干渉を受ける１つまたは複数のワイヤレスデバイス４０２を識別する。次いで、ＡＰ５０４Ａ、５０４Ｂ、および５０４Ｃは、干渉の性質および／または共有媒体についての情報を互いから受信する。次いで、ＡＰ５０４Ａ、５０４Ｂ、および５０４Ｃは、ワイヤレスデバイスが干渉を受ける可能性を低減するために、ワイヤレスデバイス４０２のうちの１つまたは複数による共有媒体の使用を変更する。いくつかの実装形態では、この変更は、図５に示すようなＡＰ間での１つまたは複数のメッセージ５０８Ａ、５０８Ｂ、および５０８Ｃの送信を含む。
【００７１】
[0081]他の実施形態では、ＡＰ５０４Ａ、５０４Ｂ、および５０４Ｃは、そのＡＰが共有媒体をどのように使用すべきかについての命令を別のＡＰ５０４Ａ、５０４Ｂ、および５０４Ｃから受信する。たとえば、ＡＰ５０４Ａ、５０４Ｂ、および５０４Ｃは、第１または第２のＢＳＳに関連付けられた情報を受信することができる。情報は、干渉を受ける１つまたは複数のワイヤレスデバイスの識別情報を含むことができる。次いで、受信側ＡＰ５０４Ａ、５０４Ｂ、および５０４Ｃは、１つまたは複数のワイヤレスデバイスが干渉を受ける可能性を低減するために、受信された情報に基づいて共有媒体の使用を変更する。変更は、限定はしないが、時間と、周波数と、空間とを含む、リソースに対するものとすることができる。変更は、限定はしないが、送信パラメータと、アクセスモードとを含む、動作モードに対するものとすることができる。
ＷｉＦｉ用の例示的なスタッガード（Ｓｔａｇｇｅｒｅｄ）プライマリチャネル選択
[0082]同じ帯域で動作する、複数の干渉アクセスポイント（ＡＰ）を有するネットワークでは（たとえば、図５のワイヤレス通信システム５００に示されるような、緻密な基本サービスセット（ＢＳＳ）シナリオ）、干渉ＡＰ（たとえば、図５に示されるＡＰ５０４など）のプライマリチャネルを異なるチャネル上にあるように設定することが有益であり得る。同じプライマリチャネル上の干渉ＡＰを操作することは、典型的に、キャリアセンス多重アクセス（ＣＳＭＡ）手順を介する媒体の時分割多重（ＴＤＭ）を含む。異なるプライマリチャネル上の干渉ＡＰを操作することは、たとえ同じ動作帯域幅内であっても、典型的に、動的帯域幅送信手順を介する媒体の周波数分割多重（ＦＤＭ）を含む。いくつかのシステム（たとえば、ＩＥＥＥ  ８０２．１１ａｃシステム）では、ＡＰ送信は、低スループットユーザに動作帯域幅未満で送られ得る（たとえば、２０ＭＨｚまたは４０ＭＨｚ）。
【００７２】
[0083]現在、規格（たとえば、ＩＥＥＥ  ８０２．１１規格）は、重複基本サービスセット（ＯＢＳＳ）のセカンダリ２０ＭＨｚチャネル（または、セカンダリ４０ＭＨｚチャネル）と重複しないように、プライマリチャネルが選択されるべきであることを提案している。本明細書では、スタッガードプライマリチャネルのための技法が提供される。
【００７３】
[0084]典型的に、ＡＰは、チャネルスイッチアナウンスメントプロトコル（たとえば、ＩＥＥＥ  ８０２．１１ｎ／ａｃに定義されたような）を通じて動作チャネルを変更し得る。チャネルスイッチアナウンスメントプロトコルは、チャネルスイッチアナウンスメント要素、セカンダリチャネルオフセット要素、および広域帯域幅（ＷｉｄｅＢＷ）チャネルスイッチ要素の使用を含み得る。ＷｉｄｅＢＷチャネルスイッチ要素は、選択されたプライマリチャネル帯域幅が４０ＭＨｚを超える場合、チャネルスイッチアナウンスメントプロトコルに含まれ得る（たとえば、必要とされる）。ＷｉｄｅＢＷチャネルスイッチ要素は、要素ＩＤ、長さ、ならびに、チャネル幅および周波数セグメントなどの、選択されたプライマリチャネルに関する情報を含み得る。しかしながら、ＡＰがプライマリチャネルを変更している場合、プライマリチャネルを変更することはチャネル幅またはチャネル周波数を変更しないので、新しいチャネル幅および周波数に関する情報は必要ではない場合がある。したがって、プライマリチャネルを変更している場合、たとえ新しい帯域幅が４０ＭＨｚを超えても、ＷｉｄｅＢＷチャネルスイッチ要素は送られなくてよい。
例示的なチャネルスイッチ表示
[0085]いくつかの態様によれば、プライマリチャネル番号における変更を示すために使用され得る、最適化されたシグナリングが定義され得る。いくつかの態様によれば、最適化されたシグナリングは、たとえ合計帯域幅が４０ＭＨｚを超える場合でもＷｉｄｅＢＷ要素を送ることができないようにチャネルスイッチアナウンスメントプロトコルが修正され得ること以外は、上述のように、従来のチャネルスイッチアナウンスメントプロトコルに従うことができる。いくつかの態様によれば、最適化されたシグナリングは、スイッチ後のプライマリチャネルのチャネル番号と、スイッチング時間までの時間の量とのうちの少なくとも１つまたは複数を含む情報要素をシグナリングすることを含み得る。いくつかの態様によれば、スイッチングまでの時間の量は、カウンタによって測定され得る（たとえば、ビーコン間隔の数の単位で）。いくつかの態様によれば、情報要素は、プライマリチャネルのスイッチング前に送信される１つまたは複数のビーコンに含まれてよく、プライマリチャネルのスイッチング後にビーコンに含まれることはできない。
例示的なプライマリチャネル選択
[0086]ＡＰは、ＡＰでの情報に基づいてプライマリチャネルを選択することができる。たとえば、ＡＰは、近隣ＡＰ（たとえば、ＯＢＳＳ）の受信された信号強度表示（ＲＳＳＩ）に基づいてプライマリチャネルを選択することができる。さらに、または代替で、ＡＰは、どのプライマリチャネルが近隣ＡＰによって使用されるかに基づいてプライマリチャネルを選択することができる。いくつかの態様によれば、ＡＰはまた、プライマリチャネルを選択するために、近隣ＡＰによって提供（たとえば、公表）された追加情報を使用することができる。この追加情報は、限定はしないが、近隣ＡＰのローディング、および近隣ＡＰによって引き起こされ得る潜在的干渉（たとえば、近隣ＡＰが近いが、トラフィックがほとんどない場合、近隣ＡＰは比較的少ない干渉を引き起こす場合がある）に関する情報を含み得る。近隣ＡＰによって提供される追加情報は、プライマリチャネルを選択する際にＡＰにとって有用である場合がある。いくつかの態様によれば、追加情報はまた、近隣ＡＰチャネル割振りに関する情報を含み得る。たとえば、限定はしないが、追加情報は、近隣ＡＰのプライマリチャネル、他のＡＰのためのプライマリチャネルの近隣ＡＰの提案、および近隣ＡＰによって他のＡＰに禁止されているプライマリチャネルに関する情報を含み得る。いくつかの態様によれば、追加情報はまた、ロード情報を含み得る。たとえば、追加情報は、ローディングパラメータ、特定のチャネルを使用して近隣ＡＰに接続されたステーションの数、ステーション用とＡＰ用との送信時間の使用割合、ドロップした、または失敗したパケットに関する情報（たとえば、ドロップしたパケットの割合）、所与の帯域幅上で送信するために使用される時間、近隣ＡＰによって使用されるチャネル上のローディング情報、近隣ＡＰ、またはその接続されたＳＴＡの動作帯域幅、あるいは必要に応じて他のローディング情報を含み得る。
【００７４】
[0087]いくつかの態様によれば、ＡＰはまた、ＯＢＳＳ上の最小数の送信を見ているチャネルを選ぶことによって、プライマリチャネルを決定することができる。ＡＰはそれ自体で、見られている送信の量の測定を行うこともでき、ＡＰはそのＳＴＡに、測定を行って、測定結果をＡＰに報告するよう要求することもできる。ＡＰは、ＳＴＡが、ＳＴＡが測定を実行する期間中にどのデータも送らないことを要求することができるので、どのＢＳＳトラフィックも測定中に混乱を生じさせない。ＡＰはまた、この測定期間中に送信を控えることができる。いくつかの態様によれば、ＡＰは、測定期間中にＢＳＳトラフィックを消音する(silence)ために、制限されたアクセスウィンドウ（ＲＡＷ）、静穏要素(quiet element)、またはＣＴＳ−ｔｏ−ｓｅｌｆを使用することができる。
【００７５】
[0088]いくつかの態様によれば、どのプライマリチャネルを使用するべきかを決定する際、ＡＰはまた、ＡＰが媒体にアクセスすることが可能であるときにＡＰがその送信を送ることが可能であると予測する、帯域幅を考慮することができる。ＡＰは、そのセカンダリチャネル上で見ている送信の量を測定することによって帯域幅が決定されることを決定することができる。たとえば、ＡＰは、そのセカンダリ４０ＭＨｚチャネル上でいくつの４０ＭＨｚ送信を見ているか、およびそのセカンダリ２０ＭＨｚチャネル上でいくつの２０ＭＨｚ送信を見ているかを測定することができる。これらの送信は「セカンダリチャネル送信」と呼ばれ得る。ＡＰが、同じ数のＯＢＳＳを見ている２つのプライマリチャネル間で決定する場合、これによって、媒体にアクセスする際にＡＰがより多くの帯域幅にアクセスすることが可能になり得るので、ＡＰは最小数の「セカンダリチャネル送信」を見ているプライマリチャネルを決定し得る。いくつかの態様によれば、ＡＰかＳＴＡのいずれかが、これらのセカンダリチャネル測定を実行することができる。ＳＴＡが測定を実行する場合、ＳＴＡは測定結果をＡＰに報告することができる。
【００７６】
[0089]いくつかの態様によれば、プライマリチャネルを選択する際に支援するために近隣ＡＰ間で共有される追加情報は、様々な方法で交換され得る。１つの例示的な実装形態では、追加情報は、ＡＰビーコン内で送られる情報要素に含まれ得る。ＡＰがネットワークに参加するたびにＡＰはビーコンをリッスンするので、ＡＰは、ネットワークに参加した後に追加情報を受信することが可能であり得る。別の例示的な実装形態では、追加情報は、ＡＰがネットワークに参加するときにバックホールを介して近隣ＡＰによって送られ得る。したがって、近隣ＡＰによる追加情報の共有は、任意の送信時間を使用することはできない。別の例示的な実装形態では、追加情報は、アクションフレームを介して近隣ＡＰによって伝達され得る。たとえば、ＡＰは、追加情報が送られることを要求しているいくつかのＡＰにユニキャストメッセージを送ることができる。別の例として、ブロードキャストメッセージが送られてよく、その場合、近隣ＡＰはそれらのビーコン内に共有情報を含み得る。これにより、同時に複数のＡＰの応答を有することを回避することができる。別の例示的な実装形態では、ＡＰは、アクションフレームをステーションに送信して、受信ステーションにフレームを再送信するよう要求することができる。
例示的なＡＰプライマリチャネル協調
[0090]プライマリチャネルは様々な方法で選択され得る。いくつかの態様によれば、ＡＰは、他のＡＰとの交渉なしにそのプライマリチャネルを設定することができる（たとえば、ＡＰでの情報、または上述のように近隣ＡＰから受信された追加情報を使用して）。いくつかの態様によれば、ＡＰは、そのプライマリチャネル選択を近隣ＡＰと協調することができる。たとえば、ＡＰは、近隣ＡＰとの明示的な合意（たとえば、交渉）に基づいてプライマリチャネルを選択することができる。ある例示的な実装形態では、近隣ＡＰから追加情報を収集した後（たとえば、上記のセクションで説明したように）、ＡＰは、意図されるチャネルスイッチを近隣のＡＰに広告することができる（たとえば、オーバージエア（ＯＴＡ）またはバックホール送信を介して）。ＡＰの意図されるチャネルスイッチの広告を受信している近隣ＡＰは、次いで提案されたスイッチが許容可能か否かを示すことができる。たとえば、近隣ＡＰは、明示的な応答を送信すること（たとえば「異議なし」を示すこと）、または広告に応答しないこと（たとえば、提案された応答が許容可能であると暗に示すこと）によって、意図されるチャネルスイッチが許容可能であることを示すことができる。近隣ＡＰは、明示的な応答を送信すること（たとえば「異議を示すこと）によって意図されるチャネルスイッチが許容可能ではないことを示すことができ、代替の提案を含め得る。
【００７７】
[0091]いくつかの態様によれば、プライマリチャネルの選択は集中型コントローラによって実行され得る。ある例示的な実装形態では、集中型コントローラは、すべての接続されたＡＰによって受信された追加情報のすべてを収集することができる。たとえば、集中型コントローラは、バックホール接続を介して追加情報を収集することができる。受信された情報に少なくとも基づいて、中央コントローラは、接続されたＡＰのためにプライマリチャネル割当てを行うことができる。
【００７８】
[0092]図６は、本開示のいくつかの態様による、ワイヤレス通信のための例示的な動作６００を示している。例示的な動作６００は、たとえば、ＡＰ（たとえば、図５に示されるＡＰ５０４）によって実行され得る。動作６００は、６０２で、近隣基本サービスセット（ＢＳＳ）に関する情報を取得することによって開始することができる。いくつかの態様によれば、選択されたプライマリチャネルは、近隣ＢＳＳの少なくとも１つのデバイス（たとえば、ＡＰ／ＳＴＡ）によって使用されるセカンダリチャネルと重複する。いくつかの態様によれば、選択されたプライマリチャネルは、近隣ＢＳＳのデバイスのプライマリチャネルとの重複を最小化するように選択され得る。いくつかの態様によれば、近隣ＢＳＳに関する情報は、近隣ＢＳＳのデバイスのＲＳＳＩ、近隣ＢＳＳの装置のプライマリチャネル表示、チャネル上のローディング（たとえば、チャネルを使用するＢＳＳ内のデバイスの数、チャネル上で使用される送信時間、ドロップされたパケット）、または近隣ＢＳＳの少なくとも１つのデバイスによって使用されるチャネル上の所与の帯域幅を使用して送信が発生する頻度、近隣ＢＳＳのデバイスによって引き起こされる潜在的干渉、近隣ＢＳＳによって他のＢＳＳに提案されるプライマリチャネル、および／あるいは近隣ＢＳＳによって他のＢＳＳに禁止されたプライマリチャネルを含み得る。いくつかの態様によれば、近隣ＢＳＳに関する情報は、ビーコン、バックホール接続、アクションフレーム、ブロードキャスト送信、または近隣ＢＳＳのデバイスから送信されたアクションフレームのうちの少なくとも１つを介して取得され得る。
【００７９】
[0093]６０４で、ＡＰは、取得された情報に基づいてプライマリチャネルを選択することができる。
【００８０】
[0094]６０６で、ＡＰは、送信のために、選択されたプライマリチャネルを使用して通信する意図をシグナリングするメッセージを出力することができる。いくつかの態様によれば、シグナリングは、選択されたチャネルの動作チャネル幅を示すことができず、また選択された帯域幅の動作チャネル周波数を示すこともできない。いくつかの態様によれば、シグナリングは、選択されたプライマリチャネルのチャネル番号、および／または選択されたプライマリチャネルへの意図されたスイッチまでの時間の量を示すことができる。いくつかの態様によれば、シグナリングは、選択されたプライマリチャネルへの意図されたスイッチの前に送信される１つまたは複数のビーコンを含み得る。
【００８１】
[0095]いくつかの態様によれば、ＡＰはまた、プライマリチャネル選択のために使用された情報を送信することができる（たとえば、近隣ＢＳＳの１つまたは複数のデバイスに）。いくつかの態様によれば、ＡＰは、近隣ＢＳＳの１つまたは複数のデバイスから、選択されたプライマリチャネルに関する応答を受信することができる。いくつかの態様によれば、各応答は、選択されたプライマリチャネルが、応答を送信しているデバイスにとって許容可能であること、または、選択されたプライマリチャネルが、応答を送信しているデバイスにとって許容可能ではないことを示すことができる。いくつかの態様によれば、応答は、提案された代替プライマリチャネルを示すことができる。
【００８２】
[0096]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々なハードウェアおよび／またはソフトウェア構成要素および／またはモジュールを含み得る。一般に、図に示されている動作がある場合、それらの動作は、同様の番号をもつ対応するカウンターパートのミーンズプラスファンクション構成要素を有し得る。たとえば、図６に示す動作６００は、図６Ａに示す手段６００Ａに対応する。
【００８３】
[0097]たとえば、送信するための手段は、図４に示すワイヤレスデバイス４０２の送信機（たとえば、送信機４１０）および／またはアンテナ４１６を備え得る。受信するための手段は、図４に示すワイヤレスデバイス４０２の受信機（たとえば、受信機４１２）および／またはアンテナ４１６を備え得る。
【００８４】
[0098]取得するための手段、および選択するための手段は、図４に示されるプロセッサ４０４などの１つまたは複数のプロセッサを含み得る。いくつかの態様によれば、そのような手段は、様々なアルゴリズムを実装することによって（たとえば、ハードウェアに、またはソフトウェア命令を実行することによって）対応する機能を実行するように構成された処理システムによって実装され得る。たとえば、プライマリチャネルを選択するためのアルゴリズムは、近隣ＢＳＳに関する取得された情報を入力として取って、この入力に基づいてプライマリチャネルを選択することができる。次いで、選択されたプライマリチャネルは、メッセージを介して表示されて、送信のために送信手段に提供され得る。
【００８５】
[0099]本明細書で使用する「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用する「チャネル幅」は、いくつかの態様では帯域幅を包含する場合があるか、または帯域幅と呼ばれる場合もある。
【００８６】
[0100]本明細書で使用する項目のリスト「のうちの少なくとも１つ」を指す句は、単一のメンバーを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【００８７】
[0101]上記で説明した方法の様々な動作は、様々なハードウェアおよび／またはソフトウェア構成要素、回路、ならびに／あるいはモジュールなど、それらの動作を実行することが可能な任意の好適な手段によって実行され得る。一般に、図に示す任意の動作は、それらの動作を実行することが可能な対応する機能的手段によって実行され得る。
【００８８】
[0102]本開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書で説明する機能を実行するように設計されたそれらの任意の組合せによって実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【００８９】
[0103]１つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶され得るか、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコードを搬送もしくは記憶するために使用され得、コンピュータによってアクセスされ得る、任意の他の媒体を備え得る。また、任意の接続が、適切にコンピュータ可読媒体と呼ばれる。たとえば、ソフトウェアが、同軸ケーブル、光ファイバケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は、非一時的コンピュータ可読媒体（たとえば有形媒体）を備え得る。加えて、いくつかの態様では、コンピュータ可読媒体は、一時的コンピュータ可読媒体（たとえば信号）を備え得る。上述の組合せもコンピュータ可読媒体の範囲内に含まれるべきである。
【００９０】
[0104]したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令を記憶した（および／または符号化した）コンピュータ可読媒体を備え得る。たとえば、近隣ＢＳＳに関する情報を取得するための命令、取得された情報に基づいてプライマリチャネルを選択するための命令、および選択されたプライマリチャネルを使用して通信する意図をシグナリングするメッセージを送信のために出力するための命令。いくつかの態様では、コンピュータプログラム製品は、包装材料を含み得る。
【００９１】
[0105]本明細書で開示する方法は、説明した方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく、変更され得る。
【００９２】
[0106]ソフトウェアまたは命令は、伝送媒体を介して送信されることもある。たとえば、ソフトウェアが、同軸ケーブル、光ファイバケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【００９３】
[0107]さらに、本明細書で説明する方法および技法を実行するためのモジュールおよび／または他の適切な手段は、適用可能な場合、ユーザ端末および／または基地局によってダウンロードされ得るおよび／または他の方法で取得され得ることを諒解されたい。たとえば、そのようなデバイスは、本明細書で説明する方法を実行するための手段の伝達を容易にするためにサーバに結合され得る。代替的に、本明細書で説明する様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。さらに、本明細書で説明する方法および技法をデバイスに提供するための任意の他の好適な技法が利用され得る。
【００９４】
[0108]特許請求の範囲は、上記で示した厳密な構成および構成要素に限定されないことを理解されたい。上記で説明した方法および装置の配置、動作、および詳細において、特許請求の範囲から逸脱することなく、様々な修正、変更、および変形が行われる場合がある。
【００９５】
[0109]上記は、本開示の態様を対象としたものであるが、本開示の基本的な範囲から逸脱することなく、本開示の他の態様およびさらなる態様が考案され得、本開示の範囲は、以下の特許請求の範囲によって決定される。
【図１】
2016537921.tif 000003
【図２Ａ】
2016537921.tif 000004
【図２Ｂ】
2016537921.tif 000005
【図３】
2016537921.tif 000006
【図４】
2016537921.tif 000007
【図５】
2016537921.tif 000008
【図６】
2016537921.tif 000009
【図６Ａ】
2016537921.tif 000010
【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
近隣基本サービスセット（ＢＳＳ）に関する情報に基づいてプライマリチャネルを選択して、装置が、前記選択されたプライマリチャネルを使用して通信することを意図することをシグナリングするメッセージを生成するように構成された処理システムと、
送信のために前記メッセージを出力するように構成されたインターフェースと、
前記近隣ＢＳＳの１つまたは複数のデバイスから、前記選択されたプライマリチャネルに関する応答を受信するように構成されたインターフェースと
を備え、
ここにおいて、各応答は、前記選択されたプライマリチャネルが、前記応答を送信している前記デバイスにとって許容可能であること、または、前記選択されたプライマリチャネルが、前記応答を送信している前記デバイスにとって許容可能ではないことを示し、ここにおいて、
前記処理システムが、前記応答に基づいて、異なるプライマリチャネルを選択するべきかどうかを決定するようにさらに構成される、ワイヤレス通信のための装置。
【請求項２】
前記選択されたプライマリチャネルが、前記近隣ＢＳＳの少なくとも１つの装置によって使用されるセカンダリチャネルと重複する、請求項１に記載の装置。
【請求項３】
前記選択されたプライマリチャネルが、前記近隣ＢＳＳのデバイスのプライマリチャネルとの重複を最小化するために選択される、請求項１に記載の装置。
【請求項４】
前記メッセージが、前記選択されたプライマリチャネルのチャネル番号、または前記選択されたプライマリチャネルを使用する前記意図された通信までの時間の量のうちの少なくとも１つの表示を備える、請求項１に記載の装置。
【請求項５】
前記インターフェースが、前記選択されたプライマリチャネルを使用する前記意図された通信の前に送信される１つまたは複数のビーコンを介して送信のために前記メッセージを出力するように構成される、請求項１に記載の装置。
【請求項６】
近隣ＢＳＳに関する前記情報が、前記近隣ＢＳＳのデバイスの受信信号強度表示（ＲＳＳＩ）、または前記近隣ＢＳＳのデバイスのプライマリチャネル表示のうちの少なくとも１つを備える、請求項１に記載の装置。
【請求項７】
近隣ＢＳＳに関する前記情報が、前記近隣ＢＳＳの少なくとも１つのデバイスによって使用されるチャネル上のローディング、または前記近隣ＢＳＳのデバイスによって引き起こされる潜在的干渉のうちの少なくとも１つに関する情報を備える、請求項１に記載の装置。
【請求項８】
ローディングに関する前記情報が、チャネルを使用する前記ＢＳＳ内のデバイスの数、チャネル上で使用される送信時間、チャネル上でドロップされたパケット、または特定の帯域幅上で送信が発生する頻度のうちの少なくとも１つの表示を備える、請求項７に記載の装置。
【請求項９】
近隣ＢＳＳに関する前記情報が、前記近隣ＢＳＳによって他のＢＳＳに提案されたプライマリチャネル、または、前記近隣ＢＳＳによって他のＢＳＳに禁止されたプライマリチャネルのうちの少なくとも１つに関する情報を備える、請求項１に記載の装置。
【請求項１０】
前記処理システムが、ビーコン、バックホール接続、アクションフレーム、または管理フレームのうちの少なくとも１つを介して、近隣ＢＳＳに関する情報を取得するようにさらに構成される、請求項１に記載の装置。
【請求項１１】
前記処理システムが、ブロードキャスト送信を介して近隣ＢＳＳに関する情報を取得するようにさらに構成される、請求項１に記載の装置。
【請求項１２】
前記処理システムが、前記近隣ＢＳＳのデバイスから送信されるアクションフレームを介して、近隣ＢＳＳに関する情報を取得するようにさらに構成される、請求項１に記載の装置。
【請求項１３】
前記処理システムが、前記装置がメンバーであるＢＳＳのデバイスから送信される管理フレームを介して近隣ＢＳＳに関する情報を取得するようにさらに構成される、請求項１に記載の装置。
【請求項１４】
前記処理システムが、プライマリチャネル選択のために使用される情報をシグナリングする別のメッセージを生成するようにさらに構成され、
前記インターフェースが、送信のために前記別のメッセージを出力するようにさらに構成される、請求項１に記載の装置。
【請求項１５】
前記インターフェースが、前記近隣ＢＳＳの１つまたは複数のデバイスに送信のために前記メッセージを出力するように構成される、請求項１に記載の装置。
【請求項１６】
少なくとも１つの応答が、提案された代替プライマリチャネルを示し、
前記処理システムが、前記提案された代替プライマリチャネルを選択するようにさらに構成される、請求項１に記載の装置。
【請求項１７】
近隣基本サービスセット（ＢＳＳ）に関する情報を取得することと、
前記取得された情報に基づいて、プライマリチャネルを選択することと、
送信のために、前記選択されたプライマリチャネルを使用して通信する意図をシグナリングするメッセージを出力することと、
前記近隣ＢＳＳの１つまたは複数のデバイスから、前記選択されたプライマリチャネルに関する応答を受信することと、ここにおいて、各応答が、前記選択されたプライマリチャネルが、前記応答を送信している前記デバイスにとって許容可能であること、または、前記選択されたプライマリチャネルが、前記応答を送信している前記デバイスにとって許容可能ではないことを示す、
前記応答に基づいて、異なるプライマリチャネルを選択するべきかどうかを決定することと
を備えるワイヤレス通信のための方法。
【請求項１８】
前記選択されたプライマリチャネルが、前記近隣ＢＳＳの少なくとも１つのデバイスによって使用されるセカンダリチャネルと重複する、請求項１７に記載の方法。
【請求項１９】
前記選択されたプライマリチャネルが、前記近隣ＢＳＳのデバイスのプライマリチャネルとの重複を最小化するために選択される、請求項１７に記載の方法。
【請求項２０】
前記メッセージが、前記選択されたプライマリチャネルのチャネル番号、または前記選択されたプライマリチャネルを使用する前記意図された通信までの時間の量のうちの少なくとも１つの表示をさらにシグナリングする、請求項１７に記載の方法。
【請求項２１】
前記出力することが、前記選択されたプライマリチャネルを使用する前記意図された通信の前に送信される１つまたは複数のビーコンを介して送信のために前記メッセージを出力することを備える、請求項１７に記載の方法。
【請求項２２】
近隣ＢＳＳに関する前記情報が、前記近隣ＢＳＳのデバイスの受信信号強度表示（ＲＳＳＩ）、または前記近隣ＢＳＳのデバイスのプライマリチャネル表示のうちの少なくとも１つを備える、請求項１７に記載の装置。
【請求項２３】
近隣ＢＳＳに関する前記情報が、前記近隣ＢＳＳの少なくとも１つのデバイスによって使用されるチャネル上のローディング、または前記近隣ＢＳＳのデバイスによって引き起こされる潜在的干渉のうちの少なくとも１つに関する情報を備える、請求項１７に記載の方法。
【請求項２４】
ローディングに関する前記情報が、チャネルを使用する前記ＢＳＳ内のデバイスの数、チャネル上で使用される送信時間、チャネル上でドロップされたパケット、または特定の帯域幅上で送信が発生する頻度のうちの少なくとも１つの表示を備える、請求項２３に記載の方法。
【請求項２５】
近隣ＢＳＳに関する前記情報が、前記近隣ＢＳＳによって他のＢＳＳに提案されたプライマリチャネル、または、前記近隣ＢＳＳによって他のＢＳＳに禁止されたプライマリチャネルのうちの少なくとも１つに関する情報を備える、請求項１７に記載の方法。
【請求項２６】
近隣ＢＳＳに関する前記情報を取得することが、ビーコン、バックホール接続、アクションフレーム、ブロードキャスト送信、または管理フレームのうちの少なくとも１つを介して前記情報を取得することを備える、請求項１７に記載の方法。
【請求項２７】
近隣基本サービスセット（ＢＳＳ）に関する情報を取得するための手段と、
前記取得された情報に基づいて、プライマリチャネルを選択するための手段と、
送信のために、前記選択されたプライマリチャネルを使用して通信する意図をシグナリングするメッセージを出力するための手段と、
前記近隣ＢＳＳの１つまたは複数のデバイスから、前記選択されたプライマリチャネルに関する応答を受信するための手段と、ここにおいて、各応答が、前記選択されたプライマリチャネルが、前記応答を送信している前記デバイスにとって許容可能であること、または、前記選択されたプライマリチャネルが、前記応答を送信している前記デバイスにとって許容可能ではないことを示す、
前記応答に基づいて、異なるプライマリチャネルを選択するべきかどうかを決定するための手段と
を備えるワイヤレス通信のための装置。
【請求項２８】
少なくとも１つのアンテナと、
近隣基本サービスセット（ＢＳＳ）に関する情報に基づいてプライマリチャネルを選択して、
装置が、前記選択されたプライマリチャネルを使用して通信することを意図することをシグナリングするメッセージを生成するように構成された処理システムと、
前記少なくとも１つのアンテナを介して前記メッセージを送信するように構成された送信機と、
前記近隣ＢＳＳの１つまたは複数のデバイスから、前記選択されたプライマリチャネルに関する応答を受信するように構成されたインターフェースと
を備え、
ここにおいて、各応答が、前記選択されたプライマリチャネルが、前記応答を送信している前記デバイスにとって許容可能であること、または、前記選択されたプライマリチャネルが、前記応答を送信している前記デバイスにとって許容可能ではないことを示し、ここにおいて、
前記処理システムが、前記応答に基づいて、異なるプライマリチャネルを選択するべきかどうかを決定するようにさらに構成される、アクセスポイント。
【請求項２９】
プロセッサによって実行されると、請求項１７−２６のうちの何れか一項に記載の方法ステップを実行することを前記プロセッサに行わせる命令を備える、コンピュータ可読媒体。
【手続補正２】
【補正対象書類名】明細書
【補正対象項目名】００９５
【補正方法】変更
【補正の内容】
【００９５】
[0109]上記は、本開示の態様を対象としたものであるが、本開示の基本的な範囲から逸脱することなく、本開示の他の態様およびさらなる態様が考案され得、本開示の範囲は、以下の特許請求の範囲によって決定される。
以下に本願発明の当初の特許請求の範囲に記載された発明を付記する。
［Ｃ１］
近隣基本サービスセット（ＢＳＳ）に関する情報に基づいてプライマリチャネルを選択して、装置が、前記選択されたプライマリチャネルを使用して通信することを意図することをシグナリングするメッセージを生成するように構成された処理システムと、
送信のために前記メッセージを出力するように構成されたインターフェースとを備えるワイヤレス通信のための装置。
［Ｃ２］
前記選択されたプライマリチャネルが、前記近隣ＢＳＳの少なくとも１つの装置によって使用されるセカンダリチャネルと重複する、Ｃ１に記載の装置。
［Ｃ３］
前記選択されたプライマリチャネルが、前記近隣ＢＳＳのデバイスのプライマリチャネルとの重複を最小化するために選択される、Ｃ１に記載の装置。
［Ｃ４］
前記メッセージが、前記選択されたプライマリチャネルのチャネル番号、または前記選択されたプライマリチャネルを使用する前記意図された通信までの時間の量のうちの少なくとも１つの表示を備える、Ｃ１に記載の装置。
［Ｃ５］
前記インターフェースが、前記選択されたプライマリチャネルを使用する前記意図された通信の前に送信される１つまたは複数のビーコンを介して送信のために前記メッセージを出力するように構成される、Ｃ１に記載の装置。
［Ｃ６］
近隣ＢＳＳに関する前記情報が、前記近隣ＢＳＳのデバイスの受信信号強度表示（ＲＳＳＩ）、または前記近隣ＢＳＳのデバイスのプライマリチャネル表示のうちの少なくとも１つを備える、Ｃ１に記載の装置。
［Ｃ７］
近隣ＢＳＳに関する前記情報が、前記近隣ＢＳＳの少なくとも１つのデバイスによって使用されるチャネル上のローディング、または前記近隣ＢＳＳのデバイスによって引き起こされる潜在的干渉のうちの少なくとも１つに関する情報を備える、Ｃ１に記載の装置。
［Ｃ８］
ローディングに関する前記情報が、チャネルを使用する前記ＢＳＳ内のデバイスの数、チャネル上で使用される送信時間、チャネル上でドロップされたパケット、または特定の帯域幅上で送信が発生する頻度のうちの少なくとも１つの表示を備える、Ｃ７に記載の装置。
［Ｃ９］
近隣ＢＳＳに関する前記情報が、前記近隣ＢＳＳによって他のＢＳＳに提案されたプライマリチャネル、または、前記近隣ＢＳＳによって他のＢＳＳに禁止されたプライマリチャネルのうちの少なくとも１つに関する情報を備える、Ｃ１に記載の装置。
［Ｃ１０］
前記処理システムが、ビーコン、バックホール接続、アクションフレーム、または管理フレームのうちの少なくとも１つを介して、近隣ＢＳＳに関する情報を取得するようにさらに構成される、Ｃ１に記載の装置。
［Ｃ１１］
前記処理システムが、ブロードキャスト送信を介して近隣ＢＳＳに関する情報を取得するようにさらに構成される、Ｃ１に記載の装置。
［Ｃ１２］
前記処理システムが、前記近隣ＢＳＳのデバイスから送信されるアクションフレームを介して、近隣ＢＳＳに関する情報を取得するようにさらに構成される、Ｃ１に記載の装置。
［Ｃ１３］
前記処理システムが、前記装置がメンバーであるＢＳＳのデバイスから送信される管理フレームを介して近隣ＢＳＳに関する情報を取得するようにさらに構成される、Ｃ１に記載の装置。
［Ｃ１４］
前記処理システムが、プライマリチャネル選択のために使用される情報をシグナリングする別のメッセージを生成するようにさらに構成され、
前記インターフェースが、送信のために前記別のメッセージを出力するようにさらに構成される、Ｃ１に記載の装置。
［Ｃ１５］
前記インターフェースが、前記近隣ＢＳＳの１つまたは複数のデバイスに送信のために前記メッセージを出力するように構成される、Ｃ１に記載の装置。
［Ｃ１６］
前記近隣ＢＳＳの前記１つまたは複数のデバイスから、前記選択されたプライマリチャネルに関する応答を受信するように構成されたインターフェースをさらに備え、各応答が、前記選択されたプライマリチャネルが、前記応答を送信している前記デバイスにとって許容可能であること、または、前記選択されたプライマリチャネルが、前記応答を送信している前記デバイスにとって許容可能ではないことを示し、ここにおいて、
前記処理システムが、前記応答に基づいて、異なるプライマリチャネルを選択するべきかどうかを決定するようにさらに構成される、Ｃ１に記載の装置。
［Ｃ１７］
少なくとも１つの応答が、提案された代替プライマリチャネルを示し、
前記処理システムが、前記提案された代替プライマリチャネルを選択するようにさらに構成される、Ｃ１６に記載の装置。
［Ｃ１８］
近隣基本サービスセット（ＢＳＳ）に関する情報を取得することと、
前記取得された情報に基づいて、プライマリチャネルを選択することと、
送信のために、前記選択されたプライマリチャネルを使用して通信する意図をシグナリングするメッセージを出力することとを備えるワイヤレス通信のための方法。
［Ｃ１９］
前記選択されたプライマリチャネルが、前記近隣ＢＳＳの少なくとも１つのデバイスによって使用されるセカンダリチャネルと重複する、Ｃ１８に記載の方法。
［Ｃ２０］
前記選択されたプライマリチャネルが、前記近隣ＢＳＳのデバイスのプライマリチャネルとの重複を最小化するために選択される、Ｃ１８に記載の方法。
［Ｃ２１］
前記メッセージが、前記選択されたプライマリチャネルのチャネル番号、または前記選択されたプライマリチャネルを使用する前記意図された通信までの時間の量のうちの少なくとも１つの表示をさらにシグナリングする、Ｃ１８に記載の方法。
［Ｃ２２］
前記出力することが、前記選択されたプライマリチャネルを使用する前記意図された通信の前に送信される１つまたは複数のビーコンを介して送信のために前記メッセージを出力することを備える、Ｃ１８に記載の方法。
［Ｃ２３］
近隣ＢＳＳに関する前記情報が、前記近隣ＢＳＳのデバイスの受信信号強度表示（ＲＳＳＩ）、または前記近隣ＢＳＳのデバイスのプライマリチャネル表示のうちの少なくとも１つを備える、Ｃ１８に記載の装置。
［Ｃ２４］
近隣ＢＳＳに関する前記情報が、前記近隣ＢＳＳの少なくとも１つのデバイスによって使用されるチャネル上のローディング、または前記近隣ＢＳＳのデバイスによって引き起こされる潜在的干渉のうちの少なくとも１つに関する情報を備える、Ｃ１８に記載の方法。
［Ｃ２５］
ローディングに関する前記情報が、チャネルを使用する前記ＢＳＳ内のデバイスの数、チャネル上で使用される送信時間、チャネル上でドロップされたパケット、または特定の帯域幅上で送信が発生する頻度のうちの少なくとも１つの表示を備える、Ｃ２４に記載の方法。
［Ｃ２６］
近隣ＢＳＳに関する前記情報が、前記近隣ＢＳＳによって他のＢＳＳに提案されたプライマリチャネル、または、前記近隣ＢＳＳによって他のＢＳＳに禁止されたプライマリチャネルのうちの少なくとも１つに関する情報を備える、Ｃ１８に記載の方法。
［Ｃ２７］
近隣ＢＳＳに関する前記情報を取得することが、ビーコン、バックホール接続、アクションフレーム、ブロードキャスト送信、または管理フレームのうちの少なくとも１つを介して前記情報を取得することを備える、Ｃ１８に記載の方法。
［Ｃ２８］
前記近隣ＢＳＳの前記１つまたは複数のデバイスから、前記選択されたプライマリチャネルに関する応答を受信することと、ここにおいて、各応答が、前記選択されたプライマリチャネルが、前記応答を送信している前記デバイスにとって許容可能であること、または、前記選択されたプライマリチャネルが、前記応答を送信している前記デバイスにとって許容可能ではないことを示し、
前記応答に基づいて、異なるプライマリチャネルを選択するべきかどうかを決定することとを備える、Ｃ１８に記載の方法。
［Ｃ２９］
近隣基本サービスセット（ＢＳＳ）に関する情報を取得するための手段と、
前記取得された情報に基づいて、プライマリチャネルを選択するための手段と、
送信のために、前記選択されたプライマリチャネルを使用して通信する意図をシグナリングするメッセージを出力するための手段とを備えるワイヤレス通信のための装置。
［Ｃ３０］
少なくとも１つのアンテナと、
近隣基本サービスセット（ＢＳＳ）に関する情報に基づいてプライマリチャネルを選択して、
装置が、前記選択されたプライマリチャネルを使用して通信することを意図することをシグナリングするメッセージを生成するように構成された処理システムと、
前記少なくとも１つのアンテナを介して前記メッセージを送信するように構成された送信機とを備える、アクセスポイント。
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
近隣基本サービスセット（ＢＳＳ）に関する情報に基づいてプライマリチャネルを選択して、装置が、前記選択されたプライマリチャネルを使用して１つまたは複数のデバイスと通信することを意図することをシグナリングするメッセージを生成するように構成された処理システムと、ここにおいて、前記プライマリチャネルの前記選択は、前記１つまたは複数のデバイスのうちのどれが、前記１つまたは複数のデバイスのうちの他のデバイスと同時に通信することができるか、および、前記１つまたは複数のデバイスのうちのどれが、前記１つまたは複数のデバイスのうちの他のデバイスと同時に通信できないかを決定することを備える、
送信のために前記メッセージを出力するように構成されたインターフェースと、
前記近隣ＢＳＳの１つまたは複数のデバイスから、前記選択されたプライマリチャネルに関する応答を受信するように構成されたインターフェースと
を備え、
各応答は、前記選択されたプライマリチャネルが、前記応答を送信している前記デバイスにとって許容可能であること、または、前記選択されたプライマリチャネルが、前記応答を送信している前記デバイスにとって許容可能ではないことを示し、ここにおいて、
前記処理システムが、前記応答に基づいて、異なるプライマリチャネルを選択するようにさらに構成される、ワイヤレス通信のための装置。
【請求項２】
前記選択されたプライマリチャネルが、前記近隣ＢＳＳの少なくとも１つのデバイスによって使用されるセカンダリチャネルと重複する、請求項１に記載の装置。
【請求項３】
前記選択されたプライマリチャネルが、前記近隣ＢＳＳのデバイスのプライマリチャネルとの重複を最小化するために選択される、請求項１に記載の装置。
【請求項４】
前記メッセージが、前記選択されたプライマリチャネルのチャネル番号、または前記選択されたプライマリチャネルを使用する前記意図された通信までの時間の量のうちの少なくとも１つの表示を備える、請求項１に記載の装置。
【請求項５】
前記インターフェースが、前記選択されたプライマリチャネルを使用する前記意図された通信の前に送信される１つまたは複数のビーコンを介して送信のために前記メッセージを出力するように構成される、請求項１に記載の装置。
【請求項６】
近隣ＢＳＳに関する前記情報が、前記近隣ＢＳＳのデバイスの受信信号強度表示（ＲＳＳＩ）、または前記近隣ＢＳＳのデバイスのプライマリチャネル表示のうちの少なくとも１つを備える、請求項１に記載の装置。
【請求項７】
近隣ＢＳＳに関する前記情報が、前記近隣ＢＳＳの少なくとも１つのデバイスによって使用されるチャネル上のローディング、または前記近隣ＢＳＳのデバイスによって引き起こされる潜在的干渉のうちの少なくとも１つに関する情報を備える、請求項１に記載の装置。
【請求項８】
ローディングに関する前記情報が、チャネルを使用する前記ＢＳＳ内のデバイスの数、チャネル上で使用される送信時間、チャネル上でドロップされたパケット、または特定の帯域幅上で送信が発生する頻度のうちの少なくとも１つの表示を備える、請求項７に記載の装置。
【請求項９】
近隣ＢＳＳに関する前記情報が、前記近隣ＢＳＳによって他のＢＳＳに提案されたプライマリチャネル、または、前記近隣ＢＳＳによって他のＢＳＳに禁止されたプライマリチャネルのうちの少なくとも１つに関する情報を備える、請求項１に記載の装置。
【請求項１０】
前記処理システムが、ビーコン、バックホール接続、アクションフレーム、または管理フレームのうちの少なくとも１つを介して、近隣ＢＳＳに関する情報を取得するようにさらに構成される、請求項１に記載の装置。
【請求項１１】
前記処理システムが、ブロードキャスト送信を介して近隣ＢＳＳに関する情報を取得するようにさらに構成される、請求項１に記載の装置。
【請求項１２】
前記処理システムが、前記近隣ＢＳＳのデバイスから送信されるアクションフレームを介して、近隣ＢＳＳに関する情報を取得するようにさらに構成される、請求項１に記載の装置。
【請求項１３】
前記処理システムが、前記装置がメンバーであるＢＳＳのデバイスから送信される管理フレームを介して近隣ＢＳＳに関する情報を取得するようにさらに構成される、請求項１に記載の装置。
【請求項１４】
前記処理システムが、プライマリチャネル選択のために使用される情報をシグナリングする別のメッセージを生成するようにさらに構成され、
前記インターフェースが、送信のために前記別のメッセージを出力するようにさらに構成される、請求項１に記載の装置。
【請求項１５】
前記インターフェースが、前記近隣ＢＳＳの１つまたは複数のデバイスに送信のために前記メッセージを出力するように構成される、請求項１に記載の装置。
【請求項１６】
少なくとも１つの応答が、提案された代替プライマリチャネルを示し、
前記処理システムが、前記提案された代替プライマリチャネルを選択するようにさらに構成される、請求項１に記載の装置。
【請求項１７】
近隣基本サービスセット（ＢＳＳ）に関する情報を取得することと、
前記取得された情報に基づいて、１つまたは複数のデバイスと通信するためのプライマリチャネルを選択することと、ここにおいて、前記プライマリチャネルを選択することは、前記１つまたは複数のデバイスのうちのどれが、それらが前記１つまたは複数のデバイスのうちの他のデバイスと同時に通信することができる状態または状況にあるか、および、前記１つまたは複数のデバイスのうちのどれが、それらが前記１つまたは複数のデバイスのうちの他のデバイスと同時に通信することができない状態または状況にあるかを決定することを備える、
送信のために、前記選択されたプライマリチャネルを使用して通信する意図をシグナリングするメッセージを出力することと、
前記近隣ＢＳＳの１つまたは複数のデバイスから、前記選択されたプライマリチャネルに関する応答を受信することと、ここにおいて、各応答が、前記選択されたプライマリチャネルが、前記応答を送信している前記デバイスにとって許容可能であること、または、前記選択されたプライマリチャネルが、前記応答を送信している前記デバイスにとって許容可能ではないことを示す、
前記応答に基づいて、異なるプライマリチャネルを選択することと
を備えるワイヤレス通信のための方法。
【請求項１８】
前記選択されたプライマリチャネルが、前記近隣ＢＳＳの少なくとも１つのデバイスによって使用されるセカンダリチャネルと重複する、請求項１７に記載の方法。
【請求項１９】
前記選択されたプライマリチャネルが、前記近隣ＢＳＳのデバイスのプライマリチャネルとの重複を最小化するために選択される、請求項１７に記載の方法。
【請求項２０】
前記メッセージが、前記選択されたプライマリチャネルのチャネル番号、または前記選択されたプライマリチャネルを使用する前記意図された通信までの時間の量のうちの少なくとも１つの表示をさらにシグナリングする、請求項１７に記載の方法。
【請求項２１】
前記出力することが、前記選択されたプライマリチャネルを使用する前記意図された通信の前に送信される１つまたは複数のビーコンを介して送信のために前記メッセージを出力することを備える、請求項１７に記載の方法。
【請求項２２】
近隣ＢＳＳに関する前記情報が、前記近隣ＢＳＳのデバイスの受信信号強度表示（ＲＳＳＩ）、または前記近隣ＢＳＳのデバイスのプライマリチャネル表示のうちの少なくとも１つを備える、請求項１７に記載の装置。
【請求項２３】
近隣ＢＳＳに関する前記情報が、前記近隣ＢＳＳの少なくとも１つのデバイスによって使用されるチャネル上のローディング、または前記近隣ＢＳＳのデバイスによって引き起こされる潜在的干渉のうちの少なくとも１つに関する情報を備える、請求項１７に記載の方法。
【請求項２４】
ローディングに関する前記情報が、チャネルを使用する前記ＢＳＳ内のデバイスの数、チャネル上で使用される送信時間、チャネル上でドロップされたパケット、または特定の帯域幅上で送信が発生する頻度のうちの少なくとも１つの表示を備える、請求項２３に記載の方法。
【請求項２５】
近隣ＢＳＳに関する前記情報が、前記近隣ＢＳＳによって他のＢＳＳに提案されたプライマリチャネル、または、前記近隣ＢＳＳによって他のＢＳＳに禁止されたプライマリチャネルのうちの少なくとも１つに関する情報を備える、請求項１７に記載の方法。
【請求項２６】
近隣ＢＳＳに関する前記情報を取得することが、ビーコン、バックホール接続、アクションフレーム、ブロードキャスト送信、または管理フレームのうちの少なくとも１つを介して前記情報を取得することを備える、請求項１７に記載の方法。
【請求項２７】
近隣基本サービスセット（ＢＳＳ）に関する情報を取得するための手段と、
前記取得された情報に基づいて、１つまたは複数のデバイスと通信するためのプライマリチャネルを選択するための手段と、ここにおいて、前記プライマリチャネルを選択するための前記手段は、前記１つまたは複数のデバイスのうちのどれが、それらが前記１つまたは複数のデバイスのうちの他のデバイスと同時に通信することができる状態または状況にあるか、および、前記１つまたは複数のモバイルデバイスのうちのどれが、それらが前記１つまたは複数のデバイスのうちの他のデバイスと同時に通信することができない状態または状況にあるかを決定するための手段をさらに備える、
送信のために、前記選択されたプライマリチャネルを使用して通信する意図をシグナリングするメッセージを出力するための手段と、
前記近隣ＢＳＳの１つまたは複数のデバイスから、前記選択されたプライマリチャネルに関する応答を受信するための手段と、ここにおいて、各応答が、前記選択されたプライマリチャネルが、前記応答を送信している前記デバイスにとって許容可能であること、または、前記選択されたプライマリチャネルが、前記応答を送信している前記デバイスにとって許容可能ではないことを示す、
前記応答に基づいて、異なるプライマリチャネルを選択するための手段と
を備えるワイヤレス通信のための装置。
【請求項２８】
少なくとも１つのアンテナと、
近隣基本サービスセット（ＢＳＳ）に関する情報に基づいて１つまたは複数のデバイスと通信するためのプライマリチャネルを選択して、ここにおいて、前記プライマリチャネルの前記選択は、前記１つまたは複数のデバイスのうちのどれが、それらが前記１つまたは複数のデバイスのうちの他のデバイスと同時に通信することができる状態または状況にあるか、および、前記１つまたは複数のデバイスのうちのどれが、それらが前記１つまたは複数のデバイスのうちの他のデバイスと同時に通信することができない状態または状況にあるかを決定することを備える、
装置が、前記選択されたプライマリチャネルを使用して通信することを意図することをシグナリングするメッセージを生成するように構成された処理システムと、
前記少なくとも１つのアンテナを介して前記メッセージを送信するように構成された送信機と、
前記近隣ＢＳＳの１つまたは複数のデバイスから、前記選択されたプライマリチャネルに関する応答を受信するように構成されたインターフェースと
を備え、
各応答が、前記選択されたプライマリチャネルが、前記応答を送信している前記デバイスにとって許容可能であること、または、前記選択されたプライマリチャネルが、前記応答を送信している前記デバイスにとって許容可能ではないことを示し、ここにおいて、
前記処理システムが、前記応答に基づいて、異なるプライマリチャネルを選択するようにさらに構成される、アクセスポイント。
【請求項２９】
プロセッサによって実行されると、請求項１７−２６のうちの何れか一項に記載の方法ステップを実行することを前記プロセッサに行わせる命令を備える、コンピュータ可読媒体。
【国際調査報告】
2016537921.tif 000011
2016537921.tif 000012